(57)【要約】  １つ、またはそれ以上のグループの固体発光素子、および１つ、またはそれ以上のグループのルミファーよりなる照明装置であって、それは、（０．３２、０．４０）、（０．３６、０．３８）、（０．４１、０．４５５）、および、（０．３６、０．４８）により定義される領域内のｘ、ｙ色座標を持つ、混合照明を出射するものが、与えられる。また、他の特定された領域内のｘ、ｙ色座標を持つ混合照明を出射する照明装置。また、２つの特定された領域内の光を出射する、かつ、混合してこのような領域内の光を生成する各グループを持つ、照明装置。また、このような発光素子、および／またはルミファーからの光を点灯する方法。【特許請求の範囲】
【請求項１】
照明装置であって、以下のものからなる：
第１のグループの固体発光素子;および、
第１のグループのルミファー；
ここで、
もし、前記第１のグループの固体発光素子おのおのが、照明され、かつ、前記第１のグループのルミファーのおのおのが、励起されれば、前記第１のグループの発光ダイオード、および前記第１のグループのルミファー、より出射される光の混合物は、任意の付加的な光のないところでは、１９３１年ＣＩＥ色度図上の、第１、第２、第３、および第４の線分により囲まれる領域内にある点を定義するｘ、ｙカラー座標、ここで、前記第１の線分は、第１の点を第２の点に接続し、前記第２の線分は、第２の点を第３の点に接続し、前記第３の線分は、第３の点を第４の点に接続し、前記第４の線分は、第４の点を第１の点に接続し、前記第１の点は、０．３２、０．４０のｘ、ｙ座標を持ち、前記第２の点は、０．３６、０．３８のｘ、ｙ座標を持ち、前記第３の点は、０．４１、０．４５５のｘ、ｙ座標を持ち、前記第４の点は、０．３６、０．４８のｘ、ｙ座標を持つ、を持つ第１のグループの混合照明を持つであろう。
【請求項２】
請求項１に記載の照明装置において、
前記第１グループの固体発光素子のおのおのは、もし照明されれば、４３０ｎｍから４８０ｎｍまでの範囲内にピーク波長を持つ光を発するであろう；かつ、
前記第１のグループのルミファーのおのおのは、もし励起されれば、約５５５ｎｍから約５８５ｎｍまでの範囲内に主要波長を持つ光を、発するであろう。
【請求項３】
請求項２に記載の照明装置において、
前記第１のグループの固体発光素子は、もし照明されれば、４３０ｎｍから４８０ｎｍまでの範囲内にピーク波長を持つ光を発するであろう、該照明装置内のすべての固体発光素子よりなり;かつ、
前記第１のグループのルミファーは、もし励起されれば、５５５ｎｍから５８５ｎｍまでの範囲内に主要波長を持つ光を発するであろう、該照明装置内のすべてのルミファーよりなる。
【請求項４】
請求項１に記載の照明装置において、さらに、少なくとも１つの電源線を備え、前記第１のグループの固体発光素子は、もし照明されれば、４３０ｎｍから４８０ｎｍまでの範囲内にピーク波長を持つ光を発するであろうすべての固体発光素子よりなり、かつ、そこでは、もし、前記少なくとも１つの電源線に、電源が供給されれば、前記第１のグループの固体発光素子のおのおのが、照明される。
【請求項５】
請求項４に記載の照明装置において、前記第１のグループのルミファーは、もし、励起されれば、５５５ｎｍから５８５ｎｍまでの範囲内に主要波長を持つ光を発するであろう、前記照明装置内のすべてのルミファーよりなり、かつ、そこでは、前記第１のグループのルミファーのおのおのは、もし、電源が、前記少なくとも１つの電源線に供給されれば、照明される。
【請求項６】
請求項１に記載の照明装置において、もし、前記照明装置内のすべての固体発光素子が、照明されれば、前記照明装置は、１９３１年ＣＩＥ色度図上の、第１、第２、第３、および第４の線分により囲まれる領域内にある点を定義するｘ、ｙカラー座標、ここで、前記第１の線分は、第１の点を第２の点に接続し、前記第２の線分は、第２の点を第３の点に接続し、前記第３の線分は、第３の点を第４の点に接続し、前記第４の線分は、第４の点を第１の点に接続し、前記第１の点は、０．３２、０．４０のｘ、ｙ座標を持ち、前記第２の点は、０．３６、０．３８のｘ、ｙ座標を持ち、前記第３の点は、０．４１、０．４５５のｘ、ｙ座標を持ち、前記第４の点は、０．３６、０．４８のｘ、ｙ座標を持つ、を持つ光を発するであろう。
【請求項７】
請求項１に記載の照明装置において、前記照明装置は、さらに、少なくとも１つの電源線を備え、かつ、もし、電源が、前記少なくとも１つの電源線のおのおのに供給されれば、前記照明装置は、１９３１年ＣＩＥ色度図上の、第１、第２、第３、および第４の線分により囲まれる領域内にある点を定義するｘ、ｙカラー座標、ここで、前記第１の線分は、第１の点を第２の点に接続し、前記第２の線分は、第２の点を第３の点に接続し、前記第３の線分は、第３の点を第４の点に接続し、前記第４の線分は、第４の点を第１の点に接続し、前記第１の点は、０．３２、０．４０のｘ、ｙ座標を持ち、前記第２の点は、０．３６、０．３８のｘ、ｙ座標を持ち、前記第３の点は、０．４１、０．４５５のｘ、ｙ座標を持ち、前記第４の点は、０．３６、０．４８のｘ、ｙ座標を持つ、を持つ光を発するであろう。
【請求項８】
請求項１に記載の照明装置において、前記照明装置はさらに、第２グループの固体発光素子を備え、該第２のグループの固体発光素子は、少なくとも１つの第２の固体発光素子よりなり、ここで、前記第２のグループの固体発光素子のおのおのは、もし照明されれば、飽和した光を発するであろう。
【請求項９】
照明装置であって、以下のものよりなる：
第１のグループの固体発光素子;および、
第１のグループのルミファー；
ここで、
もし、前記第１のグループの固体発光素子おのおのが、照明され、かつ、前記第１のグループのルミファーのおのおのが、励起されれば、前記第１のグループの発光ダイオード、および前記第１のグループのルミファー、より出射される光の混合物は、任意の付加的な光のないところでは、１９３１年ＣＩＥ色度図上の、第１、第２、第３、および第４の線分により囲まれる領域内にある点を定義するｘ、ｙカラー座標、ここで、前記第１の線分は、第１の点を第２の点に接続し、前記第２の線分は、第２の点を第３の点に接続し、前記第３の線分は、第３の点を第４の点に接続し、前記第４の線分は、第４の点を第１の点に接続し、前記第１の点は、０．３６、０．４８のｘ、ｙ座標を持ち、前記第２の点は、０．４３、０．４５のｘ、ｙ座標を持ち、前記第３の点は、０．５１２５、０．４８６６のｘ、ｙ座標を持ち、前記第４の点は、０．４０８７、０．５８９６のｘ、ｙ座標を持つ、を持つ第１のグループの混合照明を持つであろう。
【請求項１０】
請求項９に記載の照明装置において、さらに、少なくとも１つの電源線を備え、前記第１のグループの固体発光素子は、もし照明されれば、４３０ｎｍから４８０ｎｍまでの範囲内にピーク波長を持つ光を発するであろうすべての固体発光素子よりなり、かつ、そこでは、もし、電源が、前記少なくとも１つの電源線に供給されれば、前記第１のグループの固体発光素子のおのおのが、照明される。
【請求項１１】
請求項１０に記載の照明装置において、前記第１のグループのルミファーは、もし、励起されれば、５５５ｎｍから５８５ｎｍまでの範囲内に主要波長を持つ光を発するであろう、前記照明装置内のすべてのルミファーよりなり、かつ、そこでは、前記第１のグループのルミファーのおのおのは、もし、電源が、前記少なくとも１つの電源線に供給されれば、照明される。
【請求項１２】
照明装置であって、以下のものよりなる：
第１のグループの固体発光素子；および
第１のグループのルミファー；
ここで、
もし、前記１のグループの固体発光素子おのおのが、照明され、かつ、前記１のグループのルミファーのおのおのが、励起されれば、前記第１のグループの発光ダイオード、および前記第１のグループのルミファー、より出射される光の混合物は、任意の付加的な光のないところでは、１９３１年ＣＩＥ色度図上の、第１、第２、第３、および第４の線分により囲まれる領域内にある点を定義するｘ、ｙカラー座標、ここで、前記第１の線分は、第１の点を第２の点に接続し、前記第２の線分は、第２の点を第３の点に接続し、前記第３の線分は、第３の点を第４の点に接続し、前記第４の線分は、第４の点を第１の点に接続し、前記第１の点は、０．４１、０．４５５のｘ、ｙ座標を持ち、前記第２の点は、０．３６、０．４８のｘ、ｙ座標を持ち、前記第３の点は、０．４０８７、０．５８９６のｘ、ｙ座標を持ち、前記第４の点は、０．４７８８、０．５２０２のｘ、ｙ座標を持つ、を持つ第１のグループの混合照明を持つであろう。
【請求項１３】
請求項１２に記載の照明装置において、さらに、少なくとも１つの電源線を備え、前記第１のグループの固体発光素子は、もし照明されれば、４３０ｎｍから４８０ｎｍまでの範囲内にピーク波長を持つ光を発するであろうすべての固体発光素子よりなり、かつ、そこでは、もし、前記少なくとも１つの電源線に、電源が供給されれば、前記第１のグループの固体発光素子のおのおのが、照明される。
【請求項１４】
照明装置であって、以下のものからなる：
第１のグループの固体発光素子;
第１のグループのルミファー；
第２のグループの固体発光素子;および、
第２のグループのルミファー；
ここで、
もし、前記第１のグループの固体発光素子おのおのが、照明され、かつ、前記第１のグループのルミファーのおのおのが、励起されれば、前記第１のグループの発光ダイオード、および前記第１のグループのルミファー、より出射される光の混合物は、任意の付加的な光のないところでは、１９３１年ＣＩＥ色度図上の、第１、第２、第３、および第４の線分により囲まれる領域内にある点を定義するｘ、ｙカラー座標、ここで、前記第１の線分は、第１の点を第２の点に接続し、前記第２の線分は、第２の点を第３の点に接続し、前記第３の線分は、第３の点を第４の点に接続し、前記第４の線分は、第４の点を第１の点に接続し、前記第１の点は、０．３６、０．４８のｘ、ｙ座標を持ち、前記第２の点は、０．４３、０．４５のｘ、ｙ座標を持ち、前記第３の点は、０．５１２５、０．４８６６のｘ、ｙ座標を持ち、前記第４の点は、０．４０８７、０．５８９６のｘ、ｙ座標を持つ、を持つ第１のグループの混合照明を持つであろう；
もし、前記第２のグループの固体発光素子のおのおのが、照明され、かつ、前記第２のグループのルミファーのおのおのが、励起されれば、前記第２のグループの発光ダイオード、および前記第２のグループのルミファー、より出射される光の混合物は、任意の付加的な光のないところでは、１９３１年ＣＩＥ色度図上の、第５、第６、第７、および第８の線分により囲まれる領域内にある点を定義するｘ、ｙカラー座標、ここで、前記第５の線分は、第５の点を第６の点に接続し、前記第６の線分は、第６の点を第７の点に接続し、前記第７の線分は、第７の点を第８の点に接続し、前記第８の線分は、第８の点を第５の点に接続し、前記第５の点は、０．３２、０．４０のｘ、ｙ座標を持ち、前記第６の点は、０．３６、０．３８のｘ、ｙ座標を持ち、前記第７の点は、０．３０、０．２６のｘ、ｙ座標を持ち、前記第８の点は、０．２５、０．２９のｘ、ｙ座標を持つ、を持つ第２のグループの混合照明を持つであろう；
もし、前記第１のグループの固体発光素子および前記第２のグループの固体発光素子のおのおのが照明され、前記第１のグループのルミファーおよび前記第２のグループのルミファーのおのおのが励起されれば、前記第１のグループの固体発光素子、前記第２のグループの固体発光素子、前記第１のグループのルミファー、および前記第２のグループのルミファーから出射される光の混合物は、任意の付加的な光のないところでは、１９３１年ＣＩＥ色度図上の、第９、第１０、第１１、第１２、および第１３の線分により囲まれる領域内にある点を定義するｘ、ｙカラー座標、ここで、前記第９の線分は、第９の点を第１０の点に接続し、前記第１０の線分は、第１０の点を第１１の点に接続し、前記第１１の線分は、第１１の点を第１２の点に接続し、前記第１２の線分は、第１２の点を第１３の点に接続し、第１３の点は、第１３の点を第９の点に接続し、前記第９の点は、０．３２、０．４０のｘ、ｙ座標を持ち、前記第１０の点は、０．３６、０．４８のｘ、ｙ座標を持ち、前記第１１の点は、０．４３、０．４５のｘ、ｙ座標を持ち、前記第１２の点は、０．４２、０．４２のｘ、ｙ座標を持つ、前記第１３の点は、０．３６、０．３８のｘ、ｙ座標を持つ、を持つ第１グループー第２グループ混合照明をもつ。
【請求項１５】
請求項１４に記載の照明装置において、
前記第１のグループの固体発光素子および前記第２のグループの固体発光素子のおのおのは、もし、照明されれば、４３０ｎｍから４８０ｎｍまでの範囲内にピーク波長を持つ光を発するであろう； かつ、
前記第１のグループのルミファーおよび前記第２のグループのルミファーのおのおのは、もし励起されれば、約５５５ｎｍから約５８５ｎｍまでの範囲内に主要波長を持つ光を、発するであろう。
【請求項１６】
請求項１４に記載の照明装置であって、さらに、少なくとも１つの電源線を備え、かつ、前記第１および第２のグループの固体発光素子は、前記少なくとも１つの電源線に直接、または、スイッチ可能に電気的に接続された、かつ、もし照明されれば、４３０ｎｍから４８０ｎｍまでの範囲内にピーク波長を持つ光を発するであろう、すべての固体発光素子よりなり、かつ、そこでは、前記第１および第２のグループの固体発光素子のおのおのは、もし、電源が、前記少なくとも１つの電源線に供給されれば、照明される。
【請求項１７】
請求項１６に記載の照明装置において、前記第１および第２のグループのルミファーの両者は、もし励起されれば、５５５ｎｍから５８５ｎｍまでの範囲内に主要波長を持つ光を発するであろう、該照明装置内のすべてのルミファーよりなり、かつ、該第１および第２のグループのルミファーのおのおのは、もし、電源が、前記少なくとも１つの電源線に供給されれば、照明される。
【請求項１８】
請求項１４に記載の照明装置において、もし、該照明装置におけるすべてのＬＥＤが、照明されれば、該照明装置は、１９３１年ＣＩＥ色度図上の、第１、第２、第３、第４、および第５の線分により囲まれる領域内にある点を定義するｘ、ｙカラー座標、ここで、前記第１の線分は、第１の点を第２の点に接続し、前記第２の線分は、第２の点を第３の点に接続し、前記第３の線分は、第３の点を第４の点に接続し、前記第４の線分は、第４の点を第５の点に接続し、前記第５の線分は、第５の点を第１の点に接続し、前記第１の点は、０．３２、０．４０のｘ、ｙ座標を持ち、前記第２の点は、０．３６、０．４８のｘ、ｙ座標を持ち、前記第３の点は、０．４３、０．４５のｘ、ｙ座標を持ち、前記第４の点は、０．４２、０．４２のｘ、ｙ座標を持ち、前記第５の点は、０．３６、０．３８のｘ、ｙ座標を持つ、を持つ光を発するであろう。
【請求項１９】
請求項１４に記載の照明装置において、該照明装置は、さらに、少なくとも１つの電源線を備え、かつ、もし、電源が、該少なくとも１つの電源線のおのおのに供給されれば、該照明装置は、１９３１年ＣＩＥ色度図上の、第１、第２、第３、第４、および第５の線分により囲まれる領域内にある点を定義するｘ、ｙカラー座標、ここで、前記第１の線分は、第１の点を第２の点に接続し、前記第２の線分は、第２の点を第３の点に接続し、前記第３の線分は、第３の点を第４の点に接続し、前記第４の線分は、第４の点を第５の点に接続し、前記第５の線分は、第５の点を第１の点に接続し、前記第１の点は、０．３２、０．４０のｘ、ｙ座標を持ち、前記第２の点は、０．３６、０．４８のｘ、ｙ座標を持ち、前記第３の点は、０．４３、０．４５のｘ、ｙ座標を持ち、前記第４の点は、０．４２、０．４２のｘ、ｙ座標を持つ、前記第５の点は、０．３６、０．３８のｘ、ｙ座標を持つ、を持つ光を発するであろう。
【請求項２０】
照明装置であって、以下のものよりなる：
第１のグループの固体発光素子；
第１のグループのルミファー；
第２のグループの固体発光素子；および
第２のグループのルミファー；
ここで、
もし、前記第１のグループの固体発光素子のおのおのが照明され、前記第１のグループのルミファーのおのおのが励起されれば、前記第１のグループの固体発光素子、および前記第１のグループのルミファーから出射される光の混合物は、任意の付加的な光のないところでは、１９３１年ＣＩＥ色度図上の、第１、第２、第３、および第４の線分により囲まれる領域内にある点を定義するｘ、ｙカラー座標、ここで、前記第１の線分は、第１の点を第２の点に接続し、前記第２の線分は、第２の点を第３の点に接続し、前記第３の線分は、第３の点を第４の点に接続し、前記第４の線分は、第４の点を第１の点に接続し、前記第１の点は、０．４１、０．４５５のｘ、ｙ座標を持ち、前記第２の点は、０．３６、０．４８のｘ、ｙ座標を持ち、前記第３の点は、０．４０８７、０．５８９６のｘ、ｙ座標を持ち、前記第４の点は、０．４７８８、０．５２０２のｘ、ｙ座標を持つ、を持つ第１のグループの混合照明をもつ；
もし、前記第２のグループの固体発光素子のおのおのが照明され、前記第２のグループのルミファーのおのおのが励起されれば、前記第２のグループの固体発光素子、および前記第２のグループのルミファーから出射される光の混合物は、任意の付加的な光のないところでは、１９３１年ＣＩＥ色度図上の、第５、第６、第７、および第８の線分により囲まれる領域内にある点を定義するｘ、ｙカラー座標、ここで、前記第５の線分は、第５の点を第６の点に接続し、前記第６の線分は、第６の点を第７の点に接続し、前記第７の線分は、第７の点を第８の点に接続し、前記第８の線分は、第８の点を第５の点に接続し、前記第５の点は、０．３２、０．４０のｘ、ｙ座標を持ち、前記第６の点は、０．３６、０．３８のｘ、ｙ座標を持ち、前記第７の点は、０．３０、０．２６のｘ、ｙ座標を持ち、前記第８の点は、０．２５、０．２９のｘ、ｙ座標を持つ、を持つ第２のグループの混合照明をもつ； かつ、
もし、前記第１のグループの固体発光素子および前記第２のグループの固体発光素子のおのおのが照明され、前記第１のグループのルミファーおよび前記第２のグループのルミファーのおのおのが励起されれば、前記第１のグループの固体発光素子、前記第２のグループの固体発光素子、前記第１のグループのルミファー、および前記第２のグループのルミファーから出射される光の混合物は、任意の付加的な光のないところでは、１９３１年ＣＩＥ色度図上の、第９、第１０、第１１、および第１２の線分により囲まれる領域内にある点を定義するｘ、ｙカラー座標、ここで、前記第９の線分は、第９の点を第１０の点に接続し、前記第１０の線分は、第１０の点を第１１の点に接続し、前記第１１の線分は、第１１の点を第１２の点に接続し、前記第１２の線分は、第１２の点を第９の点に接続し、前記第９の点は、０．３２、０．４０のｘ、ｙ座標を持ち、前記第１０の点は、０．３６、０．３８のｘ、ｙ座標を持ち、前記第１１の点は、０．４１、０．４５５のｘ、ｙ座標を持ち、前記第１２の点は、０．３６、０．４８のｘ、ｙ座標を持つ、を持つ第１グループー第２グループ混合照明をもつ。
【請求項２１】
請求項２０に記載の照明装置において、
前記第１のグループの固体発光素子、および前記第２のグループの固体発光素子のおのおのは、もし、照明されれば、４３０ｎｍから４８０ｎｍまでの範囲内にピーク波長を持つ光を発するであろう；
前記第１のグループのルミファー、および前記第２のグループのルミファーのおのおのは、もし、励起されれば、約５５５ｎｍから約５８５ｎｍまでの範囲内に主要波長を持つ光を、発するであろう。
【請求項２２】
請求項２０に記載の照明装置において、さらに、少なくとも１つの電源線を備え、前記第１および第２のグループの固体発光素子は、もし照明されれば、４３０ｎｍから４８０ｎｍまでの範囲内にピーク波長を持つ光を発するであろうすべての固体発光素子よりなり、かつ、そこでは、もし、前記少なくとも１つの電源線に、電源が供給されれば、前記第１および第２のグループの固体発光素子のおのおのが、照明される。
【請求項２３】
請求項２２に記載の照明装置において、前記第１および第２のグループのルミファーの両者は、もし励起されれば、５５５ｎｍから５８５ｎｍまでの範囲内に主要波長を持つ光を発するであろう、該照明装置内のすべてのルミファーよりなり、かつ、該第１および第２のグループのルミファーのおのおのは、もし、電源が、前記少なくとも１つの電源線に供給されれば、照明される。
【請求項２４】
請求項２０に記載の照明装置において、もし、該照明装置におけるすべてのＬＥＤが、照明されれば、該照明装置は、１９３１年ＣＩＥ色度図上の、第１、第２、第３、および第４の線分により囲まれる領域内にある点を定義するｘ、ｙカラー座標、ここで、前記第１の線分は、第１の点を第２の点に接続し、前記第２の線分は、第２の点を第３の点に接続し、前記第３の線分は、第３の点を第４の点に接続し、前記第４の線分は、第４の点を第１の点に接続し、前記第１の点は、０．３２、０．４０のｘ、ｙ座標を持ち、前記第２の点は、０．３６、０．３８のｘ、ｙ座標を持ち、前記第３の点は、０．４１、０．４５５のｘ、ｙ座標を持ち、前記第４の点は、０．３６、０．４８のｘ、ｙ座標を持つ、を持つ光を発するであろう。
【請求項２５】
請求項２０に記載の照明装置において、前記照明装置は、さらに、少なくとも少なくとも１つの電源線を備え、かつ、もし、電源が、前記少なくとも１つの電源線のおのおのに供給されれば、前記照明装置は、１９３１年ＣＩＥ色度図上の、第１、第２、第３、および第４の線分により囲まれる領域内にある点を定義するｘ、ｙカラー座標、ここで、前記第１の線分は、第１の点を第２の点に接続し、前記第２の線分は、第２の点を第３の点に接続し、前記第３の線分は、第３の点を第４の点に接続し、前記第４の線分は、第４の点を第１の点に接続し、前記第１の点は、０．３２、０．４０のｘ、ｙ座標を持ち、前記第２の点は、０．３６、０．３８のｘ、ｙ座標を持ち、前記第３の点は、０．４１、０．４５５のｘ、ｙ座標を持ち、前記第４の点は、０．３６、０．４８のｘ、ｙ座標を持つ、を持つ光を発するであろう。
【請求項２６】
照明方法であって、以下のことよりなる：
第１グループの少なくとも１つの固体発光素子よりの光と、第１グループの少なくとも１つのルミファーからの光を、混合して、第１グループ混合照明を生成すること：
前記第１グループ混合照明は、１９３１年ＣＩＥ色度図上の、第１、第２、第３、および第４の線分により囲まれる領域内にある点を定義するｘ、ｙカラー座標、ここで、前記第１の線分は、第１の点を第２の点に接続し、前記第２の線分は、第２の点を第３の点に接続し、前記第３の線分は、第３の点を第４の点に接続し、前記第４の線分は、第４の点を第１の点に接続し、前記第１の点は、０．３２、０．４０のｘ、ｙ座標を持ち、前記第２の点は、０．３６、０．３８のｘ、ｙ座標を持ち、前記第３の点は、０．４１、０．４５５のｘ、ｙ座標を持ち、前記第４の点は、０．３６、０．４８のｘ、ｙ座標を持つ、を持つ。
【請求項２７】
請求項２６に記載の方法において、
前記第１のグループの少なくとも１つの固体発光素子のおのおのからの前記光は、４３０ｎｍから４８０ｎｍまでの範囲内にピーク波長を持ち； かつ、
前記第１のグループの少なくとも１つのルミファーのおのおのからの前記光は、約５５５ｎｍから約５８５ｎｍまでの範囲内に主要波長を持つ。
【請求項２８】
照明方法であって、以下のことよりなる：
第１のグループの少なくとも１つの固体発光素子からの光、および第１のグループの少なくとも１つのルミファーからの光を、混合して、第１のグループの混合照明を形成すること；
前記第１のグループの混合照明は、１９３１年ＣＩＥ色度図上の、第１、第２、第３、および第４の線分により囲まれる領域内にある点を定義するｘ、ｙカラー座標、ここで、前記第１の線分は、第１の点を第２の点に接続し、前記第２の線分は、第２の点を第３の点に接続し、前記第３の線分は、第３の点を第４の点に接続し、前記第４の線分は、第４の点を第１の点に接続し、前記第１の点は、０．３６、０．４８のｘ、ｙ座標を持ち、前記第２の点は、０．４３、０．４５のｘ、ｙ座標を持ち、前記第３の点は、０．５１２５、０．４８６６のｘ、ｙ座標を持ち、前記第４の点は、０．４０８７、０．５８９６のｘ、ｙ座標を持つ、を持つ。
【請求項２９】
請求項２８に記載の照明装置において、
前記第１グループの少なくとも１つの固体発光素子のおのおのよりの光は、４３０ｎｍから４８０ｎｍまでの範囲内にピーク波長を持つ； かつ、
前記第１のグループの少なくとも１つのルミファーのおのおのよりの前記光は、約５５５ｎｍから約５８５ｎｍまでの範囲内に主要波長を持つ。
【請求項３０】
照明方法であって、以下のことよりなる：
第１のグループの少なくとも１つの固体発光素子からの光、および第１のグループの少なくとも１つのルミファーからの光を、混合して、第１のグループの混合照明を形成すること；
前記第１のグループの混合照明は、１９３１年ＣＩＥ色度図上の、第１、第２、第３、および第４の線分により囲まれる領域内にある点を定義するｘ、ｙカラー座標、ここで、前記第１の線分は、第１の点を第２の点に接続し、前記第２の線分は、第２の点を第３の点に接続し、前記第３の線分は、第３の点を第４の点に接続し、前記第４の線分は、第４の点を第１の点に接続し、前記第１の点は、０．４１、０．４５５のｘ、ｙ座標を持ち、前記第２の点は、０．３６、０．４８のｘ、ｙ座標を持ち、前記第３の点は、０．４０８７、０．５８９６のｘ、ｙ座標を持ち、前記第４の点は、０．４７８８、０．５２０２のｘ、ｙ座標を持つ、を持つ。
【請求項３１】
請求項３０に記載の照明装置において、
前記第１グループの少なくとも１つの固体発光素子のおのおのは、４３０ｎｍから４８０ｎｍまでの範囲内にピーク波長を持つ； かつ、
前記第１のグループの少なくとも１つのルミファーのおのおのは、約５５５ｎｍから約５８５ｎｍまでの範囲内に主要波長を持つ。
【請求項３２】
照明方法であって、以下のことよりなる：
第１グループの少なくとも１つの固体発光素子よりの光、第２グループの少なくとも１つの固体発光素子よりの光を、第１グループの少なくとも１つのルミファーよりの光、および、第２グループの少なくとも１つのルミファーよりの光を、混合して、第１グループー第２グループ混合照明を生成すること：
前記第１グループー第２グループ混合照明は、１９３１年ＣＩＥ色度図上の、第９、第１０、第１１、第１２、および第１３の線分により囲まれる領域内にある点を定義するｘ、ｙカラー座標、ここで、前記第９の線分は、第９の点を第１０の点に接続し、前記第１０の線分は、第１０の点を第１１の点に接続し、前記第１１の線分は、第１１の点を第１２の点に接続し、前記第１２の線分は、第１２の点を第１３の点に接続し、前記第１３の線分は、第１３の点を第９の点に接続し、前記第９の点は、０．３２、０．４０のｘ、ｙ座標を持ち、前記第１０の点は、０．３６、０．４８のｘ、ｙ座標を持ち、前記第１１の点は、０．４３、０．４５のｘ、ｙ座標を持ち、前記第１２の点は、０．４２、０．４２のｘ、ｙ座標を持ち、前記第１３の点は、０．３６、０．３８のｘ、ｙ座標を持つ、を持ち；
ここで：
前記第１のグループの固体発光素子から出射される光、および前記第１のグループのルミファーから出射される光の混合物は、任意の付加的な光のないところでは、１９３１年ＣＩＥ色度図上の、第１、第２、第３、および第４の線分により囲まれる領域内にある点を定義するｘ、ｙカラー座標、ここで、前記第１の線分は、第１の点を第２の点に接続し、前記第２の線分は、第２の点を第３の点に接続し、前記第３の線分は、第３の点を第４の点に接続し、前記第４の線分は、第４の点を第１の点に接続し、前記第１の点は、０．３６、０．４８のｘ、ｙ座標、前記第２の点は、０．４３、０．４５のｘ、ｙ座標を持ち、前記第３の点は、０．５１２５、０．４８６６のｘ、ｙ座標を持ち、前記第４の点は、０．４０８７、０．５８９６のｘ、ｙ座標を持つ、を持つ第１のグループの混合照明をもつ； かつ、
前記第２のグループの固体発光素子、および前記第２のグループのルミファー、から出射される光の混合物は、任意の付加的な光のないところでは、１９３１年ＣＩＥ色度図上の、第５、第６、第７、および第８の線分により囲まれる領域内にある点を定義するｘ、ｙカラー座標、ここで、前記第５の線分は、第５の点を第６の点に接続し、前記第６の線分は、第６の点を第７の点に接続し、前記第７の線分は、第７の点を第８の点に接続し、前記第８の線分は、第８の点を第５の点に接続し、前記第５の点は、０．３２、０．４０のｘ、ｙ座標を持ち、前記第６の点は、０．３６、０．３８のｘ、ｙ座標を持ち、前記第７の点は、０．３０、０．２６のｘ、ｙ座標を持ち、前記第８の点は、０．２５、０．２９のｘ、ｙ座標を持つ、を持つ第２のグループの混合照明をもつ。
【請求項３３】
請求項３２に記載の照明装置において、
前記第１グループの少なくとも１つの固体発光素子のおのおの、および前記第２グループの少なくとも１つの固体発光素子のおのおの、よりの前記光は、４３０ｎｍから４８０ｎｍまでの範囲内にピーク波長を持つ； かつ、
前記第１グループの少なくとも１つのルミファーのおのおの、および前記第２グループの少なくとも１つのルミファーのおのおの、よりの前記光は、約５５５ｎｍから約５８５ｎｍまでの範囲内に主要波長を持つ。
【請求項３４】
照明方法であって、以下のことよりなる：
第１グループの少なくとも１つの固体発光素子よりの光、第２グループの少なくとも１つの固体発光素子よりの光、第１グループの少なくとも１つのルミファーよりの光、および第２グループの少なくとも１つのルミファーよりの光を、混合して、第１グループー第２グループ混合照明を生成すること：
前記第１グループー第２グループ混合照明は、１９３１年ＣＩＥ色度図上の、第９、第１０、第１１、および第１２の線分により囲まれる領域内にある点を定義するｘ、ｙカラー座標、ここで、前記第９の線分は、第９の点を第１０の点に接続し、前記第１０の線分は、第１０の点を第１１の点に接続し、前記第１１の線分は、第１１の点を第１２の点に接続し、前記第１２の線分は、第１２の点を第９の点に接続し、前記第９の点は、０．３２、０．４０のｘ、ｙ座標を持ち、前記第１０の点は、０．３６、０．３８のｘ、ｙ座標を持ち、前記第１１の点は、０．４１、０．４５５のｘ、ｙ座標を持ち、前記第１２の点は、０．３６、０．４８のｘ、ｙ座標を持ち、を持ち；
ここで：
前記第１のグループの固体発光素子、および前記第１のグループのルミファー、から出射される光の混合物は、任意の付加的な光のないところでは、１９３１年ＣＩＥ色度図上の、第１、第２、第３、および第４の線分により囲まれる領域内にある点を定義するｘ、ｙカラー座標、ここで、前記第１の線分は、第１の点を第２の点に接続し、前記第２の線分は、第２の点を第３の点に接続し、前記第３の線分は、第３の点を第４の点に接続し、前記第４の線分は、第４の点を第１の点に接続し、前記第１の点は、０．４１、０．４５５のｘ、ｙ座標を持ち、前記第２の点は、０．３６、０．４８のｘ、ｙ座標を持ち、前記第３の点は、０．４０８７、０．５８９６のｘ、ｙ座標を持ち、前記第４の点は、０．４７８８、０．５２０２のｘ、ｙ座標を持つ、を持ち； かつ、
前記第２のグループの固体発光素子、および前記第２のグループのルミファー、から出射される光の混合物は、任意の付加的な光のないところでは、１９３１年ＣＩＥ色度図上の、第５、第６、第７、および第８の線分により囲まれる領域内にある点を定義するｘ、ｙカラー座標、ここで、前記第５の線分は、第５の点を第６の点に接続し、前記第６の線分は、第６の点を第７の点に接続し、前記第７の線分は、第７の点を第８の点に接続し、前記第８の線分は、第８の点を第５の点に接続し、前記第５の点は、０．３２、０．４０のｘ、ｙ座標を持ち、前記第６の点は、０．３６、０．３８のｘ、ｙ座標を持ち、前記第７の点は、０．３０、０．２６のｘ、ｙ座標を持ち、前記第８の点は、０．２５、０．２９のｘ、ｙ座標を持つ、を持つ。
【請求項３５】
請求項３４に記載の照明装置において、
前記第１グループの少なくとも１つの固体発光素子のおのおの、および前記第２グループの少なくとも１つの固体発光素子のおのおの、よりの前記光は、４３０ｎｍから４８０ｎｍまでの範囲内にピーク波長を持ち； かつ、
前記第１グループの少なくとも１つのルミファーのおのおの、および前記第２グループの少なくとも１つのルミファーのおのおの、よりの前記光は、約５５５ｎｍから約５８５ｎｍまでの範囲内に主要波長を持つ。
【発明の詳細な説明】
【技術分野】
【０００１】
関連する出願への相互参照
この出願は、２００７年１１月７日に出願された米国仮特許出願第６０／８５７,３０５号の利益を主張するものであり、その出願の全体は、参照によりここに組み入れられる。
【０００２】
発明の分野
本発明の主題は、照明装置、特に、１つ、またはそれ以上の固体発光素子、および、１つ、またはそれ以上のルミネッセント要素を含む装置に関係する。本発明の主題は、また、照明方法に向けられている。
【背景技術】
【０００３】
発明の背景
毎年、米国において生成される電気の多くの部分（いくつかの見積りは、２５％と高い）は、照明に行っている。したがって、よりエネルギー効率の高い照明を与える、進行中の必要がある。白熱電球バルブは、大変エネルギー効率の良くない電球光源であることが、よく知られている − それらが消費する電気の約９０％は、光としてより熱として開放される。蛍光灯は、白熱電灯バルブよりはより効率が良い（約１０％だけ）が、まだ、発光ダイオード等の固体発光素子より効率は低い。
【０００４】
さらに、固体発光素子、たとえば、発光ダイオードの通常の寿命に比較すると、白熱電球は、相対的に短い寿命、たとえば、代表的に約７５０−１０００時間を持つ。比較するに、発光ダイオードは、たとえば、５０，０００時間と、７０，０００時間の間の代表的な寿命を、持つ。蛍光灯は、白熱灯より、より長い寿命（たとえば、１０，０００ − ２０，０００時間）を持つが、しかし、色再現の好ましさは低い。
【０００５】
色再現は、代表的に、演色評価指数（ＣＲＩ  Ｒａ）を用いて測定される。ＣＲＩ  Ｒａは、照明システムの色再現が、８個の参照色を照明するときの参照放射器のそれとどのように比較されるかの測定結果の修整された平均である、すなわち、それは、特定のランプにより照明されたときの、対象物の表面色のシフトの相対的な示しである。該ＣＲＩ  Ｒａは、もし、照明システムにより照射されている１セットのテストカラーのカラー座標が、参照放射器により照射されている同じテストカラーの座標と同じであるとき、１００に等しい。昼日光は、高いＣＲＩ（約１００のＲａ）を持ち、白熱電球は、また、比較的近く（９５より大きいＲａ）、蛍光照明は、より正確さが低い（７０−８０の代表的Ｒａ）。あるタイプの特殊化された照明は、大変低いＣＲＩを持つ（たとえば、水銀蒸気またはナトリウムランプは、約４０、あるいは、さらにより低い、のように低いＲａを持つ）。ナトリウムランプは、たとえば、光高速道路に用いられるが、 − ドライバー応答時間は、しかしながら、より低いＣＲＩ  Ｒａの値とともに、実質的に低下する（任意の与えられた輝度に対して、視認性は、より低いＣＲＩ  Ｒａとともに減少する）。
【０００６】
従来の電灯設備 により直面されるもう１つの問題は、照明装置（たとえば、電灯バルブ等）を、周期的に置き換える必要である。このよう問題は、特に、アクセスが困難である（たとえば、丸天井、橋、高いビル、交通トンネル）ところで、および／または、交換コストが極端に高いところで表明されている。従来の電灯設備の代表的な寿命は、少なくとも約４４，０００時間の光発生装置の使用（２０年間にわたる１日６時間の使用に基づく）に対応する、約２０年である。光発生装置の寿命は、代表的にもっと小さく、これにより、周期的な交換の必要を生じる。
【０００７】
したがって、これらの、および、他の理由により、それにより、発光ダイオード、および、他の固体発光素子を、広い範囲の応用において、白熱電球、蛍光灯、および他の光発生装置の代わりに用いることのできる方法を開発する努力が、行われ続けてきた。さらに、発光ダイオード（または、他の固体発光素子）がすでに用いられているところでは、たとえば、エネルギー効率、演色評価指数（ＣＲＩ  Ｒａ）、コントラスト、有効性（ｌｍ／Ｗ）、コスト、および／またはサービス期間、に関して改善された発光ダイオード（または、他の固体発光素子）を与えるよう、努力が行われ続けてきている。
【０００８】
発光ダイオードは、電流を光に変換する公知の半導体デバイスである。広い範囲の発光ダイオードは、目的の今でも拡大する範囲のために、ますます広い範囲において使用されている。
【０００９】
より特定的には、発光ダイオードは、電位差がｐｎ接合構造に対して印加されたとき、光（紫外線、可視光、または赤外線）を発する半導電性の装置である。発光ダイオード、および多くの関連する構造を作る多くの公知の方法があり、本発明は、任意のこのような装置を用いることができる。たとえば、Ｓｚｅの半導体装置の物理学（１９８１年、第２版）の第１２−１４章、および、Ｓｚｅの現代半導体装置物理学（１９９８）の第７章は、発光ダイオードを含む広い範囲の光子装置を記述している。
【００１０】
共通に認識され、商業的に入手可能な“ＬＥＤ”であって、（たとえば、）電子ショップにおいて売られているものは、多くの部品から作られている“パッケージされた”デバイスを表す。これらのパッケージされたデバイスは、代表的に、米国特許第４，９１８，４８７；５，６３１，１９０；および５，９１２，４７７号明細書において記述されたような（しかしそれらに限定されない）半導体ベースの発光ダイオード；種々のワイヤ接続、および、発光ダイオードを収容するパッケージを含む。
【００１１】
よく知られているように、発光ダイオードは、半導体活性（発光）層の導電帯と価電子帯との間のバンドギャップを横切って電子を励起することにより、光を生成する。電子遷移は、エネルギーギャップに依存する波長で光を発生する。このように、発光ダイオードにより発光された光の色（波長）は、発光ダイオードの活性層の半導体材料に依存する。
【００１２】
発光ダイオードの開発は、多くの方法で照明産業を改革してきたが、発光ダイオードの特徴のいくらかは、そのいくらかはまだ十分に満たされていない挑戦を、提示してきた。たとえば、任意の特定の発光ダイオードの出射スペクトルは、代表的に（該発光ダイオードの組成、および構造により記述されるように）単一波長の周りに集中しており、これは、いくらかの応用のためには望ましいが、しかし、他の応用（たとえば、照明を与えるために、このような出射スペクトラムは、大変低いＣＲＩ  Ｒａを与える）のためには望ましくない。
【００１３】
白と感じられる光は、必然的に、２つ、またはそれ以上の色の（または、波長の）ブレンドであるので、単一の発光ダイオードは、白色を生ずることはできない。“白色”発光ダイオードは、各赤、緑、および青の発光ダイオードにより形成される発光ダイオードピクセルを持って製造されてきた。他の、“白色”発光ダイオードは、(1) 青色光を発生する発光ダイオード、および、(2) 前記発光ダイオードにより発光された光による励起に応答して黄色光を発するルミネッセント材料（たとえば、リン発光体）を含んで生成され、これにより、該青色光、および黄色光は、混合されたとき、白色光と感知される光を生成する。
【００１４】
さらに、非主要色の結合を生成する主要色の混合は、一般に、この、および他の技術においてよく理解されている。一般に、１９３１年ＣＩＥ色度図（１９３１年に設けられた主要色の国際標準）、および１９７６年ＣＩＥ色度図（１９３１年図に類似しているが、該図上の同様の距離は、同様の感受される色の差を表すよう修整されている）は、色を主要色の重み付けされた和として定義するための、役にたつ参照を与える。
【００１５】
本発明の主題に関連する側面は、１９３１年ＣＩＥ（国際輝度委員会）色度図、または、１９７６年ＣＩＥ色度図上で表現されることができる。図１は、１９３１年ＣＩＥ色度図を示す。図２は、１９７６年色度図を示す。図３は、黒体位置を詳細に示すために、前記１９７６年色度図の拡大部分を示す。当業者は、これらの図をよく知っており、かつ、これらの図は、（たとえば、インターネット上で、“ＣＩＥ色度図”をサーチすることにより、）容易に利用可能である。
【００１６】
ＣＩＥ色度図は、２つのＣＩＥパラメータｘおよびｙ（１９３１年色度図の場合）、またはｕ’およびｖ’（１９７６年色度図の場合）により、人間のカラー感受性を描き出す。ＣＩＥ色度図の技術的説明のために、たとえば、「物理科学および技術百科事典」、Ｖｏｌ.７、２３０−２３１（ロバート  Ａ．メイヤー、１９８７版）を参照ください。スペクトルカラーは、人間の目によって認知される色合いのすべてを含む、外枠を描かれたスペースのエッジの周りに分布する。境界線は、スペクトルカラーのための、最大飽和を表現する。上記したとおり、１９７６年ＣＩＥ色度図は、１９３１年色度図に、１９７６年図が該図上の同様の距離は認知される同様の色の差異をあらわすよう修整されている点以外、類似している。
【００１７】
１９３１年の図において、該図上の点からのずれが、座標の手段によって、あるいは代替的に、感受される色の相違の程度に関する示しを与えるために、ＭａｃＡｄａｍ楕円の手段によって、のいずれかにより与えられ得る。たとえば、１９３１年図上の特定のセットの座標により定義される特定された色合いから１０ＭａｃＡｄａｍ楕円であると定義される点の場所は、前記特定された色合いから共通の範囲だけ異なるものと、おのおの感受される色合いからなる（かつ、ＭａｃＡｄａｍ楕円の他の量だけ、特定の色合いから離れていると定義される点の位置についても、同様である。）
【００１８】
１９７６図上の同様の距離は、同様の感受される色の相違を表現するので、１９７６図上の点からのずれは、座標u’およびｖ’により、たとえば、点＝（Δｕ’2 + Δｖ'2)1/2からの距離により表現されることができ、おのおの特定の色合いから共通の距離にある点の位置により定義される色合いは、前記特定の色合いから共通の度合だけ異なるとおのおの感受される色合いよりなる。
【００１９】
図１−図３に示される色度図座標、およびＣＩＥ色度図は、多くの本、および、他の刊行物、たとえば、Ｋ．Ｈ．バトラー、“蛍光ランプリン発光体”（ペンシルベニア州立大学プレス１９８０）、９８−１０７ページ、および、Ｇ．ブラッセ等、“ルミネッセント材料”（スプリング出版社１９９４）、１−９−１１０ページ、に詳細に記述されており、ともに参照によりここに組み入れられる。
【００２０】
黒体位置に沿って横たわる色度座標（すなわち、カラー点）は、プランクの方程式：
Ｅ（λ） ＝ Ａλ-5 / （ｅ(B/T) − ｌ）
ここで、Ｅは、出射強度であり、λは、出射波長であり、Ｔは、黒体の色温度であり、ＡおよびＢは定数である、
に従う。黒体位置上、またはその近くに横たわるカラー座標は、人間の観察者に対し、楽しみのある白い光を引き出す。１９７６年のＣＩＥ図は、黒体位置に沿っての温度のリストを含む。これらの温度リストは、このような温度への増大をもたらす黒体放射体のカラーパスを示す。加熱された対象が、白熱体となるとき、それは最初に赤みを帯びて輝き、そののち、黄色っぽく輝き、そののち、白く輝き、そして、最後に、青みがかって輝く。これは、黒体放射体のピーク放射と関連する波長が、ウィーン変位法と一貫して、増大した温度とともにますます短くなるために起こる。黒体位置の上に、または近くにある光を生成する発光体は、このように、それらの色温度により記述することができる。
【００２１】
また１９７６年ＣＩＥ図上に描かれているのは、指定Ａ、Ｂ、Ｃ、Ｄ、およびＥであり、これらは、それぞれ、照明体Ａ、Ｂ、Ｃ、Ｄ、およびＥとして、対応して特定された、いくつかの標準照明体により生成される光に言及している。
【００２２】
発光ダイオードは、このように、個々に、または、任意の結合において、任意に、１つ、またはそれ以上のルミネッセント材料（リン発光体、またはシンチレータ）、および／または、フィルターとともに使用されて、任意の所望の感受される色（白を含む）を生成することができる。したがって、現存する光源を、発光ダイオード光源により、たとえば、エネルギー効率、演色評価指数（ＣＲＩ  Ｒａ）、有効性（ｌｍ／Ｗ）、および／または、サービス期間、に関して改善するために置き換えるよう、努力がなされつづけている領域は、任意の特定の色の光、あるいは色のブレンドの光に、限定されるものではない。
【００２３】
広い多種多様性のルミネッセント材料は、公知であり、当業者にとって入手可能である。例えば、リン発光体は、励起放射源により励起されたとき、反応性の放射（例えば、可視光線）を発するルミネッセント材料である。多くの場合、応答する放射は、励起する放射の波長と異なる波長を持つ。ルミネッセント材料の他の例は、シンチレーター、昼日グローテープ、および紫外線を照射されると可視スペクトル内において輝くインクを含む。ここで使用される表現“ルミファー”は、任意のルミネッセント要素、すなわち、任意のルミネッセント材料を含む任意の要素を言及する。
【００２４】
ルミネッセント材料は、ダウンコンバートするもの、すなわち、フォトンをより低いエネルギーレベル（より長い波長）に変換する材料である、あるいは、アップコンバートするもの、すなわち、フォトンをより高いエネルギーレベル（より短い波長）に変換する材料である、ものとして分類されることができる。
【００２５】
ルミネッセント材料を、ＬＥＤ装置内に含むことは、上記したように、ルミネッセント材料を、清浄な、または透明な収容材料（たとえば、エポキシ系、シリコーン系、ガラス系、または金属酸化物系材料）に、たとえば、ブレンディングまたはコーティングプロセスにより、付加することにより遂行されてきた。
【００２６】
たとえば、米国特許第６，９６３，１６６号明細書（Ｙａｎｏ‘１６６）は、従来の発光ダイオードランプが、発光ダイオードチップ、発光ダイオードチップを覆うための弾丸形状透明ハウジング、電流を発光ダイオードチップに供給する導線、および、発光ダイオードチップの放射を一定の方向に反射するためのカップ反射器、そこにおいては、発光ダイオードチップは、第１の樹脂部分により収容されており、これは、さらに第２の樹脂部分により収容されている、を含むことを開示している。Ｙａｎｏ‘１６６によれば、第１の樹脂部分は、カップ反射器を樹脂材料で満たし、それを、発光ダイオードチップが、カップ反射器の底上にマウントされ、そののち、そのカソード、およびアノード電極が、ワイヤによりリードに電気的に接続された後に、キュアーすることにより得られる。Ｙａｎｏ‘１６６によれば、リン発光体は、発光ダイオードチップから出射された光Ａにより励起されるよう、第１の樹脂部分において分散され、該励起されたリン発光体は、光Ａより長い波長を持つ蛍光発光（“光Ｂ”）を生成し、該光Ａの一部は、リン発光体を含む第１の樹脂部分を通って送信され、結果として、光Ａと光Ｂの混合物である光Ｃが、照明として用いられる。
【００２７】
上記したように、“白ＬＥＤ光”（すなわち、白、または、白に近いと感受される光）は、白い白熱電球に対する可能な置き替えとして研究されて来た。白色ＬＥＤランプの代表的な例は、インジウムガリウムナイトライド（ＩｎＧａＮ）またはガリウムナイトライド（ＧａＮ）から作られる青色発光ダイオードチップのパッケージ、これは、ＹＡＧ等のリン発光体によりコートされる、を含む。このようなＬＥＤランプにおいて、青色発光ダイオードチップは、約４５０ｎｍの波長を持つ放射を生成し、リン発光体は、その放射を受信したとき、約５５０ｎｍのピーク波長を持つ黄色の蛍光を生成する。たとえば、ある設計においては、白色発光ダイオードランプは、青色発光半導体発光ダイオードの外部表面上に、セラミックリン発光体層を形成することにより、製造される。発光ダイオードチップより出射される青色光の一部は、リン発光体を通過し、一方、該発光ダイオードチップより出射される青色光の一部は、リン発光体により吸収され、これは、励起され、黄色光を発する。発光ダイオードチップより出射され、リン発光体を通過した青色光の一部は、リン発光体により発射された黄色光と混合される。観察者は、青、および黄色の光の混合物を、白色光として感受する。もう１つのタイプは、赤、またはオレンジ、および緑または、黄色がかった緑の光線を生成するリン発光体材料と結合された青、または紫色の発光ダイオードチップを用いる。このようなランプにおいて、発光ダイオードチップにより出射された青または紫色光の一部は、リン発光体を励起し、該リン発光体をして、赤、またはオレンジ、および黄または緑色の光線を出射せしめる。これらの光線は、青、または紫色の光線と混合して、白色光の感受を生みだすことができる。
【００２８】
また上記したように、もう１つのタイプのＬＥＤランプにおいては、紫外光を発射する発光ダイオードチップは、赤（Ｒ）、緑（Ｇ）、青（Ｂ）色光光線を生成するリン発光体材料と結合される。このような“ＲＧＢＬＥＤランプ”においては、発光ダイオードチップから放射された紫外線は、リン発光体を励起し、該リン発光体をして、赤、緑、青色の光線を発射せしめ、これらは混合されたとき、人の目により白色光として感受される。その結果、白色光はまた、これらの光線の混合物としても、得られる。
【００２９】
現存するＬＥＤ要素パッケージ、および他の電子回路を、１つの固定取付体内にアセンブル設計が、与えられてきた。このような設計においては、パッケージ化されたＬＥＤは、回路基板に、または、ヒートシンクに直接マウントされ、該回路基板は、ヒートシンクにマウントされ、かつ、ヒートシンクは、要求される駆動電子回路とともに取付固定体ハウジングにマウントされる。多くの場合において、付加的な光学素子（パッケージ部品に対して二次的な）も、また必要である。
【００３０】
他の光源、たとえば、白熱電球の代わりに、発光ダイオードを置き換えるにおいて、パッケージされたＬＥＤは、従来の電灯設備、たとえば、中空レンズ、および、該レンズに取り付けられたべースプレート、該ベースプレートは電源に電気的に結合された１つ、またはそれ以上のコンタクトを持つ従来のソケットハウジングを持つ、を含む取付固定体を持って使用されてきた。たとえば、ＬＥＤ光バルブは、１つの電気回路基板、該電気回路基板にマウントされた複数のパッケージ化されたＬＥＤ、該回路基板に取り付けられ、かつ、該電灯設備のソケットハウジングに接続されるように適合された接続ポストよりなり、これにより、該複数のＬＥＤは、該光源により照明されることができる。
【００３１】
固体発光素子、たとえば、発光ダイオードを用いて、より広い範囲の応用において白色光を、より大きいエネルギー効率、より改善された演色評価数（ＣＲＩ  Ｒａ）、より改善された有効性（ｌｍ／Ｗ）、低コスト、および／または、より長いサービス期間でもって与える方法についての進行中の必要がある。
【先行技術文献】
【特許文献】
【００３２】
【特許文献１】米国特許第４，９１８，４８７号明細書
【特許文献２】米国特許第５，６３１，１９０号明細書
【特許文献３】米国特許第５，９１２，４７７号明細書
【特許文献４】米国特許第６，９６３，１６６号明細書
【特許文献５】米国特許出願第６０／７５２，５５５号
【特許文献６】米国特許出願第６０／７５２，７５３号
【特許文献７】米国特許出願第６０／７５３，１３８号
【特許文献８】米国特許出願第６０／７９３，５１８号
【特許文献９】米国特許出願第６０／７９３，５２４号
【特許文献１０】米国特許出願第６０／７９４，３７９号
【特許文献１１】米国特許出願第６０／７９８，４４６号
【特許文献１２】米国特許出願第６０／８０８，７０２号
【特許文献１３】米国特許出願第６０／８０８，９２５号
【特許文献１４】米国特許出願第６０／８０２，６９７号
【特許文献１５】米国特許出願第６０／８０９，５９５号
【特許文献１６】米国特許出願第６０／８０９，９５９号
【特許文献１７】米国特許出願第６０／８３９，４５３号
【特許文献１８】米国特許出願第６０／８４４，３２５号
【特許文献１９】米国特許出願第６０／８５１，２３０号
【特許文献２０】米国特許出願第６０／８５７，３０５号
【特許文献２１】米国特許出願第１１／６１３，６９２号
【特許文献２２】米国特許出願第１１／６１４，１８０号
【特許文献２３】米国特許出願第１１／６２４，８１１号
【特許文献２４】米国特許出願第１１／６２６，４８３号
【特許文献２５】米国特許出願第１１／７４３，７５４号
【特許文献２６】米国特許出願第１１／７５１，９８２号
【特許文献２７】米国特許出願第１１／７５１，９９０号
【特許文献２８】米国特許出願第１１／７５３，１０３号
【特許文献２９】米国特許出願第１１／７５５，１６２号
【特許文献３０】米国特許出願第１１／８４３、２４３号
【特許文献３１】米国特許出願第１１／８５４，７４４号
【発明の概要】
【００３３】
発明の簡単なサマリー
本発明者らは、たとえば、１つ、またはそれ以上のＬＥＤ、および１つ、またはそれ以上のルミネッセント材料よりなる、かつ、以下に記述されているように、優れた有効性とともに、大変高いＣＲＩ  Ｒａを与える、発光素子、発光エンジン、および照明装置を、設計した：
(1) 米国特許出願第６０／７５２，５５５号、２００５年１２月２１日出願、名称“照明装置、および照明方法”（発明者：アントニー  ポール  ヴァンデヴェン、およびジェラルド  Ｈ．ネグレイ；代理人ドケット番号９３１＿００４ＰＲＯ）、その全体は参照によりここに組み入れられる；
（2） 米国特許出願第６０／７９３，５２４号、２００６年４月２０日出願、名称“照明装置、および照明方法”（発明者：ジェラルド  Ｈ．ネグレイ、およびアントニー  ポール  ヴァンデヴェン；代理人ドケット番号９３１＿０１２ＰＲＯ）、その全体は参照によりここに組み入れられる；
(3) 米国特許出願第６０／７９３，５１８号、２００６年４月２０日出願、名称“照明装置、および照明方法”（発明者：ジェラルド  Ｈ．ネグレイ、およびアントニー  ポール  ヴァンデヴェン；代理人ドケット番号９３１＿０１３ＰＲＯ）、その全体は参照によりここに組み入れられる；  かつ、
(4) 米国特許出願第６０／８０９，６１８号、２００６年５月３１日出願、名称“照明装置、および照明方法”（発明者：ジェラルド  Ｈ．ネグレイ、アントニー  ポール  ヴァンデヴェン、およびトーマス  Ｇ．コールマン；代理人ドケット番号９３１＿０１７ＰＲＯ）、その全体は参照によりここに組み入れられる。
【００３４】
照明が要求されはするが、しかしそのような高いＣＲＩ  Ｒａは要求されない、多くの状況がある。これらの状況においては、任意の他の状況におけるように、より高い有効性がいつも要求される。
【００３５】
本発明の主題は、顕著な有効性、ばかりでなく、良いＣＲＩ  Ｒａをも与える（すなわち、いくらかのＣＲＩ  Ｒａは、犠牲となってより良い有効性を与える）照明装置を与える。本発明の主題はまた、付加的な照明装置（たとえば、飽和した、および／または、広スペクトル照明装置）とともに使用することができて、照明を与える、たとえば、黒体位置上、または近くのｘ、ｙ座標を持つ混合光を出射する、照明装置を与える。
【００３６】
本発明の主題の第１の側面において、第１のグループの固体発光素子、および第１のグループのルミファーよりなる照明装置が、与えられる。本発明の主題のこの第１の側面において、もし、前記第１のグループの固体発光素子が照明され、前記第１のグループのルミファーが励起されれば、前記第１のグループの固体発光素子、および前記第１のグループのルミファーから出射される光の混合物は、任意の付加的な光のないところでは、１９３１年ＣＩＥ色度図上の、第１、第２、第３、および第４の線分により囲まれる領域内にある点を定義するｘ、ｙカラー座標をもつ、ここで、前記第１の線分は、第１の点を第２の点に接続し、前記第２の線分は、第２の点を第３の点に接続し、前記第３の線分は、第３の点を第４の点に接続し、前記第４の線分は、第４の点を第１の点に接続し、前記第１の点は、０．３２、０．４０のｘ、ｙ座標を持ち、前記第２の点は、０．３６、０．３８のｘ、ｙ座標を持ち、前記第３の点は、０．４１、０．４５５のｘ、ｙ座標を持ち、前記第４の点は、０．３６、０．４８のｘ、ｙ座標を持つ、混合された光照明をもつ。
【００３７】
ここで（上記で、および以下のページで）使用される表現“グループの固体発光素子”は、そのグループが、１つ、またはそれ以上の固体発光素子を含む、ことを意味する。ここで使用される表現“グループのルミファー”は、そのグループが、１つ、またはそれ以上のルミファーを含む、ことを意味する。たとえば、本発明の前記第１の側面は、単一の固体発光素子、および単一のルミファーを含む照明装置をカバーする。
【００３８】
本発明の主題の第２の側面において、第１のグループの固体発光素子、および第１のグループルミファーよりなる照明装置が、与えられる。この本発明の主題の第２の側面において、もし、前記第１のグループの固体発光素子が照明され、前記第１のグループのルミファーが励起されれば、前記第１のグループの固体発光素子、および前記第１のグループのルミファーから出射される光の混合物は、任意の付加的な光のないところでは、１９３１年ＣＩＥ色度図上の、第１、第２、第３、および第４の線分により囲まれる領域内にある点を定義するｘ、ｙカラー座標をもつ、ここで、前記第１の線分は、第１の点を第２の点に接続し、前記第２の線分は、第２の点を第３の点に接続し、前記第３の線分は、第３の点を第４の点に接続し、前記第４の線分は、第４の点を第１の点に接続し、前記第１の点は、０．３６、０．４８のｘ、ｙ座標を持ち、前記第２の点は、０．４３、０．４５のｘ、ｙ座標を持ち、前記第３の点は、０．５１２５、０．４８６６のｘ、ｙ座標を持ち、前記第４の点は、０．４０８７、０．５８９６のｘ、ｙ座標を持つ、混合された光照明をもつ。
【００３９】
本発明の主題の第３の側面において、第１のグループの固体発光素子、および、第１のグループルミファーよりなる照明装置が、与えられる。この本発明の主題の第３の側面において、もし、前記第１のグループの固体発光素子が照明され、前記第１のグループのルミファーが励起されれば、前記第１のグループの固体発光素子、および前記第１のグループのルミファーから出射される光の混合物は、任意の付加的な光のないところでは、１９３１年ＣＩＥ色度図上の、第１、第２、第３、および第４の線分により囲まれる領域内にある点を定義するｘ、ｙカラー座標をもつ、ここで、前記第１の線分は、第１の点を第２の点に接続し、前記第２の線分は、第２の点を第３の点に接続し、前記第３の線分は、第３の点を第４の点に接続し、前記第４の線分は、第４の点を第１の点に接続し、前記第１の点は、０．４１、０．４５５のｘ、ｙ座標を持ち、前記第２の点は、０．３６、０．４８のｘ、ｙ座標を持ち、前記第３の点は、０．４０８７、０．５８９６のｘ、ｙ座標を持ち、前記第４の点は、０．４７８８、０．５２０２のｘ、ｙ座標を持つ、混合された光照明をもつ。
【００４０】
本発明の主題の第４の側面において、第１のグループの固体発光素子、第１のグループのルミファー、第２のグループの固体発光素子、および第２のグループのルミファー、よりなる照明装置が、与えられる。この本発明の主題の第４の側面において：
もし、前記第１のグループの固体発光素子のおのおのが照明され、前記第１のグループのルミファーのおのおのが励起されれば、前記第１のグループの固体発光素子、および前記第１のグループのルミファーから出射される光の混合物は、任意の付加的な光のないところでは、１９３１年ＣＩＥ色度図上の、第１、第２、第３、および第４の線分により囲まれる領域内にある点を定義するｘ、ｙカラー座標をもつ、ここで、前記第１の線分は、第１の点を第２の点に接続し、前記第２の線分は、第２の点を第３の点に接続し、前記第３の線分は、第３の点を第４の点に接続し、前記第４の線分は、第４の点を第１の点に接続し、前記第１の点は、０．３６、０．４８のｘ、ｙ座標を持ち、前記第２の点は、０．４３、０．４５のｘ、ｙ座標を持ち、前記第３の点は、０．５１２５、０．４８６６のｘ、ｙ座標を持ち、前記第４の点は、０．４０８７、０．５８９６のｘ、ｙ座標を持つ、第１のグループの混合照明をもつ；
もし、前記第２のグループの固体発光素子のおのおのが照明され、前記第２のグループのルミファーのおのおのが励起されれば、前記第２のグループの固体発光素子、および前記第２のグループのルミファーから出射される光の混合物は、任意の付加的な光のないところでは、１９３１年ＣＩＥ色度図上の、第５、第６、第７、および第８の線分により囲まれる領域内にある点を定義するｘ、ｙカラー座標をもつ、ここで、前記第５の線分は、第５の点を第６の点に接続し、前記第６の線分は、第６の点を第７の点に接続し、前記第７の線分は、第７の点を第８の点に接続し、前記第８の線分は、第８の点を第５の点に接続し、前記第５の点は、０．３２、０．４０のｘ、ｙ座標を持ち、前記第６の点は、０．３６、０．３８のｘ、ｙ座標を持ち、前記第７の点は、０．３０、０．２６のｘ、ｙ座標を持ち、前記第８の点は、０．２５、０．２９のｘ、ｙ座標を持つ、第２のグループの混合照明をもつ；かつ、
もし、前記第１のグループの固体発光素子および前記第２のグループの固体発光素子のおのおのが照明され、前記第１のグループのルミファーおよび前記第２のグループのルミファーのおのおのが励起されれば、前記第１のグループの固体発光素子、前記第２のグループの固体発光素子、前記第１のグループのルミファー、および前記第２のグループのルミファーから出射される光の混合物は、任意の付加的な光のないところでは、１９３１年ＣＩＥ色度図上の、第９、第１０、第１１、第１２、および第１３の線分により囲まれる領域内にある点を定義するｘ、ｙカラー座標をもつ、ここで、前記第９の線分は、第９の点を第１０の点に接続し、前記第１０の線分は、第１０の点を第１１の点に接続し、前記第１１の線分は、第１１の点を第１２の点に接続し、前記第１２の線分は、第１２の点を第１３の点に接続し、前記第１３の線分は、第１３の点を第９の点に接続し、前記第９の点は、０．３２、０．４０のｘ、ｙ座標を持ち、前記第１０の点は、０．３６、０．３８のｘ、ｙ座標を持ち、前記第１１の点は、０．４３、０．４５のｘ、ｙ座標を持ち、前記第１２の点は、０．４２、０．４２のｘ、ｙ座標を持ち、前記第１３の点は、０．３６、０．３８のｘ、ｙ座標を持つ、第１グループー第２グループ混合照明をもつ。
【００４１】
本発明の主題の第５の側面において、第１のグループの固体発光素子、第１のグループのルミファー、第２のグループの固体発光素子、および第２のグループのルミファー、よりなる照明装置が、与えられる。この本発明の主題の第５の側面において：
もし、前記第１のグループの固体発光素子のおのおのが照明され、前記第１のグループのルミファーのおのおのが励起されれば、前記第１のグループの固体発光素子、および前記第１のグループのルミファーから出射される光の混合物は、任意の付加的な光のないところでは、１９３１年ＣＩＥ色度図上の、第１、第２、第３、および第４の線分により囲まれる領域内にある点を定義するｘ、ｙカラー座標をもつ、ここで、前記第１の線分は、第１の点を第２の点に接続し、前記第２の線分は、第２の点を第３の点に接続し、前記第３の線分は、第３の点を第４の点に接続し、前記第４の線分は、第４の点を第１の点に接続し、前記第１の点は、０．４１、０．４５５のｘ、ｙ座標を持ち、前記第２の点は、０．３６、０．４８のｘ、ｙ座標を持ち、前記第３の点は、０．４０８７、０．５８９６のｘ、ｙ座標を持ち、前記第４の点は、０．４７８８、０．５２０２のｘ、ｙ座標を持つ、第１のグループの混合照明をもつ；
もし、前記第２のグループの固体発光素子のおのおのが照明され、前記第２のグループのルミファーのおのおのが励起されれば、前記第２のグループの固体発光素子、および前記第２のグループのルミファーから出射される光の混合物は、任意の付加的な光のないところでは、１９３１年ＣＩＥ色度図上の、第５、第６、第７、および第８の線分により囲まれる領域内にある点を定義するｘ、ｙカラー座標をもつ、ここで、前記第５の線分は、第５の点を第６の点に接続し、前記第６の線分は、第６の点を第７の点に接続し、前記第７の線分は、第７の点を第８の点に接続し、前記第８の線分は、第８の点を第５の点に接続し、前記第５の点は、０．３２、０．４０のｘ、ｙ座標を持ち、前記第６の点は、０．３６、０．３８のｘ、ｙ座標を持ち、前記第７の点は、０．２５、０．２９のｘ、ｙ座標を持ち、前記第８の点は、０．３０、０．２６のｘ、ｙ座標を持つ、第２のグループの混合照明をもつ；かつ、
もし、前記第１のグループの固体発光素子および前記第２のグループの固体発光素子のおのおのが照明され、前記第１のグループのルミファーおよび前記第２のグループのルミファーのおのおのが励起されれば、前記第１のグループの固体発光素子、前記第２のグループの固体発光素子、前記第１のグループのルミファー、および前記第２のグループのルミファーから出射される光の混合物は、任意の付加的な光のないところでは、１９３１年ＣＩＥ色度図上の、第９、第１０、第１１、および第１２の線分により囲まれる領域内にある点を定義するｘ、ｙカラー座標をもつ、ここで、前記第９の線分は、第９の点を第１０の点に接続し、前記第１０の線分は、第１０の点を第１１の点に接続し、前記第１１の線分は、第１１の点を第１２の点に接続し、前記第１２の線分は、第１２の点を第９の点に接続し、前記第９の点は、０．３２、０．４０のｘ、ｙ座標を持ち、前記第１０の点は、０．３６、０．３８のｘ、ｙ座標を持ち、前記第１１の点は、０．４１、０．４５５のｘ、ｙ座標を持ち、前記第１２の点は、０．３６、０．４８のｘ、ｙ座標を持つ、第１グループー第２グループ混合照明をもつ。
【００４２】
本発明の主題の第６の側面において、以下のことからなる照明方法が、与えられる：
第１グループの少なくとも１つの固体発光素子よりの光と、第１グループの少なくとも１つのルミファーからの光を、混合して、第１グループ混合照明を、生成すること、ここで：
前記第１グループ混合照明は、１９３１年ＣＩＥ色度図上の、第１、第２、第３、および第４の線分により囲まれる領域内にある点を定義するｘ、ｙカラー座標、ここで、前記第１の線分は、第１の点を第２の点に接続し、前記第２の線分は、第２の点を第３の点に接続し、前記第３の線分は、第３の点を第４の点に接続し、前記第４の線分は、第４の点を第１の点に接続し、前記第１の点は、０．３２、０．４０のｘ、ｙ座標を持ち、前記第２の点は、０．３６、０．３８のｘ、ｙ座標を持ち、前記第３の点は、０．４１、０．４５５のｘ、ｙ座標を持ち、前記第４の点は、０．３６、０．４８のｘ、ｙ座標を持つ、を持つ。
【００４３】
本発明の主題の第７の側面において、以下のことからなる照明方法が、与えられる：
第１グループの少なくとも１つの固体発光素子よりの光と、第１グループの少なくとも１つのルミファーからの光を、混合して、第１グループ混合照明を、生成すること、ここで：
前記第１グループ混合照明は、１９３１年ＣＩＥ色度図上の、第１、第２、第３、および第４の線分により囲まれる領域内にある点を定義するｘ、ｙカラー座標、ここで、前記第１の線分は、第１の点を第２の点に接続し、前記第２の線分は、第２の点を第３の点に接続し、前記第３の線分は、第３の点を第４の点に接続し、前記第４の線分は、第４の点を第１の点に接続し、前記第１の点は、０．３６、０．３８のｘ、ｙ座標を持ち、前記第２の点は、０．４３、０．４５のｘ、ｙ座標を持ち、前記第３の点は、０．５１２５、０．４８６６のｘ、ｙ座標を持ち、前記第４の点は、０．４０８７、０．５８９６のｘ、ｙ座標を持つ、を持つ。
【００４４】
本発明の主題の第８の側面において、以下のことからなる照明方法が、与えられる：
第１グループの少なくとも１つの固体発光素子よりの光と、第１グループの少なくとも１つのルミファーからの光を、混合して、第１グループ混合照明を、生成すること、ここで：
前記第１グループ混合照明は、１９３１年ＣＩＥ色度図上の、第１、第２、第３、および第４の線分により囲まれる領域内にある点を定義するｘ、ｙカラー座標、ここで、前記第１の線分は、第１の点を第２の点に接続し、前記第２の線分は、第２の点を第３の点に接続し、前記第３の線分は、第３の点を第４の点に接続し、前記第４の線分は、第４の点を第１の点に接続し、前記第１の点は、０．４１、０．４５５のｘ、ｙ座標を持ち、前記第２の点は、０．３６、０．４８のｘ、ｙ座標を持ち、前記第３の点は、０．４０８７、０．５８９６のｘ、ｙ座標を持ち、前記第４の点は、０．４７８８、０．５２０２のｘ、ｙ座標を持つ、を持つ。
【００４５】
本発明の主題の第９の側面において、以下のことからなる照明方法が、与えられる：
第１グループの少なくとも１つの固体発光素子よりの光と、第２グループの少なくとも１つの１つの固体発光素子よりの光と、第１グループの少なくとも１つのルミファーからの光と、第２グループの少なくとも１つのルミファーからの光を、混合して、第１グループー第２グループ混合照明を、生成すること、ここで：
前記第１グループー第２グループ混合照明は、１９３１年ＣＩＥ色度図上の、第９、第１０、第１１、第１２、および第１３の線分により囲まれる領域内にある点を定義するｘ、ｙカラー座標、ここで、前記第９の線分は、第９の点を第１０の点に接続し、前記第１０の線分は、第１０の点を第１１の点に接続し、前記第１１の線分は、第１１の点を第１２の点に接続し、前記第１２の線分は、第１２の点を第１３の点に接続し、前記第１３の線分は、第１３の点を第９の点に接続し、前記第９の点は、０．３２、０．４０のｘ、ｙ座標を持ち、前記第１０の点は、０．３６、０．４８のｘ、ｙ座標を持ち、前記第１１の点は、０．４３、０．４５のｘ、ｙ座標を持ち、前記第１２の点は、０．４２、０．４２のｘ、ｙ座標を持つ、前記第１３の点は、０．３６、０．３８のｘ、ｙ座標を持つ、を持ち；
前記第１のグループの固体発光素子、および前記第１のグループのルミファーから出射される光の混合物は、任意の付加的な光のないところでは、１９３１年ＣＩＥ色度図上の、第１、第２、第３、および第４の線分により囲まれる領域内にある点を定義するｘ、ｙカラー座標、ここで、前記第１の線分は、第１の点を第２の点に接続し、前記第２の線分は、第２の点を第３の点に接続し、前記第３の線分は、第３の点を第４の点に接続し、前記第４の線分は、第４の点を第１の点に接続し、前記第１の点は、０．３６、０．４８のｘ、ｙ座標を持ち、前記第２の点は、０．４３、０．４５のｘ、ｙ座標を持ち、前記第３の点は、０．５１２５、０．４８６６のｘ、ｙ座標を持ち、前記第４の点は、０．４０８７、０．５８９６のｘ、ｙ座標を持つ、を持つ第１のグループの混合照明を持ち；かつ、
前記第２のグループの固体発光素子、および前記第２のグループのルミファーから出射される光の混合物は、任意の付加的な光のないところでは、１９３１年ＣＩＥ色度図上の、第５、第６、第７、および第８の線分により囲まれる領域内にある点を定義するｘ、ｙカラー座標、ここで、前記第５の線分は、第５の点を第６の点に接続し、前記第６の線分は、第６の点を第７の点に接続し、前記第７の線分は、第７の点を第８の点に接続し、前記第８の線分は、第８の点を第５の点に接続し、前記第５の点は、０．３２、０．４０のｘ、ｙ座標を持ち、前記第６の点は、０．３６、０．３８のｘ、ｙ座標を持ち、前記第７の点は、０．３０、０．２６のｘ、ｙ座標を持ち、前記第８の点は、０．２５、０．２９のｘ、ｙ座標を持つ、を持つ第２のグループの混合照明を持つ。
【００４６】
本発明の主題の第１０の側面において、以下のことからなる照明方法が、与えられる：
第１グループの少なくとも１つの固体発光素子よりの光と、第２グループの少なくとも１つの１つの固体発光素子よりの光と、第１グループの少なくとも１つのルミファーからの光と、第２グループの少なくとも１つのルミファーからの光を、混合して、第１グループー第２グループ混合照明を、生成すること、ここで：
前記第１グループー第２グループ混合照明は、１９３１年ＣＩＥ色度図上の、第９、第１０、第１１、第１２、および第１３の線分により囲まれる領域内にある点を定義するｘ、ｙカラー座標、ここで、前記第９の線分は、第９の点を第１０の点に接続し、前記第１０の線分は、第１０の点を第１１の点に接続し、前記第１１の線分は、第１１の点を第１２の点に接続し、前記第１２の線分は、第１２の点を第９の点に接続し、前記第９の点は、０．３２、０．４０のｘ、ｙ座標を持ち、前記第１０の点は、０．３６、０．３８のｘ、ｙ座標を持ち、前記第１１の点は、０．４１、０．４５５のｘ、ｙ座標を持ち、前記第１２の点は、０．３６、０．４８のｘ、ｙ座標を持つ、を持ち；
前記第１のグループの固体発光素子、および前記第１のグループのルミファーから出射される光の混合物は、任意の付加的な光のないところでは、１９３１年ＣＩＥ色度図上の、第１、第２、第３、および第４の線分により囲まれる領域内にある点を定義するｘ、ｙカラー座標、ここで、前記第１の線分は、第１の点を第２の点に接続し、前記第２の線分は、第２の点を第３の点に接続し、前記第３の線分は、第３の点を第４の点に接続し、前記第４の線分は、第４の点を第１の点に接続し、前記第１の点は、０．４１、０．４５５のｘ、ｙ座標を持ち、前記第２の点は、０．３６、０．４８のｘ、ｙ座標を持ち、前記第３の点は、０．４０８７、０．５８９６のｘ、ｙ座標を持ち、前記第４の点は、０．４７８８、０．５２０２のｘ、ｙ座標を持つ、を持つ第１のグループの混合照明を持ち； かつ、
前記第２のグループの固体発光素子、および前記第２のグループのルミファーから出射される光の混合物は、任意の付加的な光のないところでは、１９３１年ＣＩＥ色度図上の、第５、第６、第７、および第８の線分により囲まれる領域内にある点を定義するｘ、ｙカラー座標、ここで、前記第５の線分は、第５の点を第６の点に接続し、前記第６の線分は、第６の点を第７の点に接続し、前記第７の線分は、第７の点を第８の点に接続し、前記第８の線分は、第８の点を第５の点に接続し、前記第５の点は、０．３２、０．４０のｘ、ｙ座標を持ち、前記第６の点は、０．３６、０．３８のｘ、ｙ座標を持ち、前記第７の点は、０．３０、０．２６のｘ、ｙ座標を持ち、前記第８の点は、０．２５、０．２９のｘ、ｙ座標を持つ、を持つ第２のグループの混合照明を持つ。
【００４７】
本発明の主題によるいくつかの実施形態において、
前記第１グループの固体発光素子のおのおのは、もし照明されれば、４３０ｎｍから４８０ｎｍまでの範囲内にピーク波長を持つ光を発するであろう；かつ、
前記第１のグループのルミファーのおのおのは、もし励起されれば、約５５５ｎｍから約５８５ｎｍまでの範囲内に主要波長を持つ光を、発するであろう。
【００４８】
本発明の主題によるいくつかの実施形態において、もし、該照明装置におけるすべてのＬＥＤが、照明されれば、該照明装置は、以下のような光を、発するであろう：
１９３１年ＣＩＥ色度図上の、第１、第２、第３、第４、および第５の線分により囲まれる領域内にある点を定義するｘ、ｙカラー座標、ここで、前記第１の線分は、第１の点を第２の点に接続し、前記第２の線分は、第２の点を第３の点に接続し、前記第３の線分は、第３の点を第４の点に接続し、前記第４の線分は、第４の点を第５の点に接続し、前記第５の線分は、第５の点を第１の点に接続し、前記第１の点は、０．３２、０．４０のｘ、ｙ座標を持ち、前記第２の点は、０．３６、０．４８のｘ、ｙ座標を持ち、前記第３の点は、０．４３、０．４５のｘ、ｙ座標を持ち、前記第４の点は、０．４２、０．４２のｘ、ｙ座標を持ち、前記第５の点は、０．３６、０．３８のｘ、ｙ座標を持つ、を持つ光（かつ、いくらかの場合には、１９３１年ＣＩＥ色度図上の、第１、第２、第３、および第４の線分により囲まれる領域内にある点を定義するｘ、ｙカラー座標、ここで、前記第１の線分は、第１の点を第２の点に接続し、前記第２の線分は、第２の点を第３の点に接続し、前記第３の線分は、第３の点を第４の点に接続し、前記第４の線分は、第４の点を第１の点に接続し、前記第１の点は、０．３２、０．４０のｘ、ｙ座標を持ち、前記第２の点は、０．３６、０．３８のｘ、ｙ座標を持ち、前記第３の点は、０．４１、０．４５５のｘ、ｙ座標を持ち、前記第４の点は、０．３６、０．４８のｘ、ｙ座標を持つ、を持つ光）；
１９３１年ＣＩＥ色度図上の、第１、第２、第３、および第４の線分により囲まれる領域内にある点を定義するｘ、ｙカラー座標、ここで、前記第１の線分は、第１の点を第２の点に接続し、前記第２の線分は、第２の点を第３の点に接続し、前記第３の線分は、第３の点を第４の点に接続し、前記第４の線分は、第４の点を第１の点に接続し、前記第１の点は、０．４１、０．４５５のｘ、ｙ座標を持ち、前記第２の点は、０．３６、０．４８のｘ、ｙ座標を持ち、前記第３の点は、０．４０８７、０．５８９６のｘ、ｙ座標を持ち、前記第４の点は、０．４７８８、０．５２０２のｘ、ｙ座標を持つ、を持つ光；または、
１９３１年ＣＩＥ色度図上の、第１、第２、第３、および第４の線分により囲まれる領域内にある点を定義するｘ、ｙカラー座標、ここで、前記第１の線分は、第１の点を第２の点に接続し、前記第２の線分は、第２の点を第３の点に接続し、前記第３の線分は、第３の点を第４の点に接続し、前記第４の線分は、第４の点を第１の点に接続し、前記第１の点は、０．３６、０．４８のｘ、ｙ座標を持ち、前記第２の点は、０．４３、０．４５のｘ、ｙ座標を持ち、前記第３の点は、０．５１２５、０．４８６６のｘ、ｙ座標を持ち、前記第４の点は、０．４０８７、０．５８９６のｘ、ｙ座標を持つ、を持つ光。
【００４９】
本発明の主題の第１の側面、第５の側面、第６の側面、または第１０の側面によるいくらかの実施形態において、該照明装置は、さらに、少なくとも１つの電源線を備え、かつ、もし、電源が該少なくとも１つの電源線のおのおのに供給されれば、該照明装置は、１９３１年ＣＩＥ色度図上の、第１、第２、第３、および第４の線分により囲まれる領域内にある点を定義するｘ、ｙカラー座標、ここで、前記第１の線分は、第１の点を第２の点に接続し、前記第２の線分は、第２の点を第３の点に接続し、前記第３の線分は、第３の点を第４の点に接続し、前記第４の線分は、第４の点を第１の点に接続し、前記第１の点は、０．３２、０．４０のｘ、ｙ座標を持ち、前記第２の点は、０．３６、０．３８のｘ、ｙ座標を持ち、前記第３の点は、０．４１、０．４５５のｘ、ｙ座標を持ち、前記第４の点は、０．３６、０．４８のｘ、ｙ座標を持つ、を持つ光を発するであろう。
【００５０】
本発明の主題の第４の側面、または第９の側面によるいくらかの実施形態において、該照明装置は、さらに、少なくとも１つの電源線を備え、かつ、もし、電源が該少なくとも１つの電源線のおのおのに供給されれば、該照明装置は、１９３１年ＣＩＥ色度図上の、第１、第２、第３、第４、および第５の線分により囲まれる領域内にある点を定義するｘ、ｙカラー座標、ここで、前記第１の線分は、第１の点を第２の点に接続し、前記第２の線分は、第２の点を第３の点に接続し、前記第３の線分は、第３の点を第４の点に接続し、前記第４の線分は、第４の点を第５の点に接続し、前記第５の線分は、第５の点を第１の点に接続し、前記第１の点は、０．３２、０．４０のｘ、ｙ座標を持ち、前記第２の点は、０．３６、０．４８のｘ、ｙ座標を持ち、前記第３の点は、０．４３、０．４５のｘ、ｙ座標を持ち、前記第４の点は、０．４２、０．４２のｘ、ｙ座標を持つ、前記第５の点は、０．３６、０．３８のｘ、ｙ座標を持つ、を持つ光を発するであろう。
【００５１】
本発明の主題の第３の側面、または第８の側面によるいくらかの実施形態において、該照明装置は、さらに、少なくとも１つの電源線を備え、かつ、もし、電源が該少なくとも１つの電源線のおのおのに供給されれば、該照明装置は、１９３１年ＣＩＥ色度図上の、第１、第２、第３、および第４の線分により囲まれる領域内にある点を定義するｘ、ｙカラー座標、ここで、前記第１の線分は、第１の点を第２の点に接続し、前記第２の線分は、第２の点を第３の点に接続し、前記第３の線分は、第３の点を第４の点に接続し、前記第４の線分は、第４の点を第１の点に接続し、前記第１の点は、０．４１、０．４５５のｘ、ｙ座標を持ち、前記第２の点は、０．３６、０．４８のｘ、ｙ座標を持ち、前記第３の点は、０．４０８７、０．５８９６のｘ、ｙ座標を持ち、前記第４の点は、０．４７８８、０．５２０２のｘ、ｙ座標を持つ、を持つ光を発するであろう。
【００５２】
本発明の主題の第２の側面、または第７の側面によるいくらかの実施形態において、該照明装置は、さらに、少なくとも１つの電源線を備え、かつ、もし、電源が該少なくとも１つの電源線のおのおのに供給されれば、該照明装置は、１９３１年ＣＩＥ色度図上の、第１、第２、第３、および第４の線分により囲まれる領域内にある点を定義するｘ、ｙカラー座標、ここで、前記第１の線分は、第１の点を第２の点に接続し、前記第２の線分は、第２の点を第３の点に接続し、前記第３の線分は、第３の点を第４の点に接続し、前記第４の線分は、第４の点を第１の点に接続し、前記第１の点は、０．３６、０．４８のｘ、ｙ座標を持ち、前記第２の点は、０．４３、０．４５のｘ、ｙ座標を持ち、前記第３の点は、０．５１２５、０．４８６６のｘ、ｙ座標を持ち、前記第４の点は、０．４０８７、０．５８９６のｘ、ｙ座標を持つ、を持つ光を発するであろう。
【００５３】
本発明の主題によるいくらかの実施形態において、照明装置はさらに、もし照明されれば、６００ｎｍから６３０ｎｍまでの範囲内に主要波長を持つ光を発するであろう、少なくとも１つの固体発光素子よりなる付加的なグループの固体発光素子を、備える。いくらかのこのような実施形態において、該照明装置は、さらに、もし照明されれば、４９５ｎｍから５１０ｎｍまでの範囲内に主要波長を持つ光を発するであろう、少なくとも１つの固体発光素子よりなるさらなるグループの固体発光素子を備える。
本発明の主題によるいくらかの実施形態において、照明装置はさらに、もし照明されれば、飽和した光を、発するであろう、少なくとも１つの固体発光素子よりなる付加的なグループの固体発光素子を備える。
【００５４】
本発明の主題によるいくらかの実施形態において、該照明装置は、第１のワットの電気を供給されたとき、該電気の少なくとも６０ルーメンパーワット（いくらかの実施形態においては、少なくとも７０ルーメンパーワット、いくらかの実施形態においては、少なくとも８０ルーメンパーワット）の有効性の出力光を、出射する。いくらかのこのような実施形態において、出力光は、少なくとも３００ルーメンの輝度、いくらかの実施形態においては、少なくとも５００ルーメンの輝度を有する。
【００５５】
本発明の主題の第１の側面、または第６の側面によるいくらかの実施形態において、前記第１のグループの混合照明は、１９３１年ＣＩＥ色度図上の、黒体位置上の任意の点から、少なくとも０．０３の距離（いくらかの実施形態においては、少なくとも０．０４５の距離）に、またあるｘ、ｙカラー座標を持つ。
【００５６】
本発明の主題の第４の側面、第５の側面、第９の側面、または第１０の側面によるいくらかの実施形態において、前記第１グループー第２グループ混合照明は、１９３１年ＣＩＥ色度図上の、黒体位置上の任意の点から、少なくとも０．０３の距離（いくらかの実施形態においては、少なくとも０．０４５の距離）に、またあるｘ、ｙカラー座標を持つ。
【００５７】
本発明の主題の第１の側面、第２の側面、第３の側面、第６の側面、第７の側面、および第８の側面によるいくらかの実施形態において、前記第１グループ混合照明は、少なくとも４０のＣＲＩ  Ｒａ、いくらかの実施形態においては、少なくとも５０のＣＲＩ  Ｒａ、いくらかの実施形態においては、少なくとも５５のＣＲＩ  Ｒａを持つ。
【００５８】
本発明の主題の第４の側面、第５の側面、第９の側面、および第１０の側面によるいくらかの実施形態において、前記第１グループー第２グループ混合照明は、少なくとも４０のＣＲＩ  Ｒａ、いくらかの実施形態においては、少なくとも５０のＣＲＩ  Ｒａ、いくらかの実施形態においては、少なくとも５５のＣＲＩ  Ｒａを持つ。
【００５９】
本発明の主題の第１の側面、第２の側面、第３の側面、第６の側面、第７の側面、および第８の側面によるいくらかの実施形態において、前記第１のグループの固体発光素子は、もし照明されれば、４３０ｎｍから４８０ｎｍまでの範囲内にピーク波長を持つ光を発するであろう、該照明装置内のすべての固体発光素子よりなり、かつ、前記第１のグループのルミファーは、もし励起されれば、５５５ｎｍから５８５ｎｍまでの範囲内に主要波長を持つ光を発するであろう、該照明装置内のすべてのルミファーよりなる。
【００６０】
本発明の主題の第４の側面、第５の側面、第９の側面、および第１０の側面によるいくらかの実施形態において、前記第１および第２のグループの固体発光素子の両者は、もし照明されれば、４３０ｎｍから４８０ｎｍまでの範囲内にピーク波長を持つ光を発するであろう、該照明装置内のすべての固体発光素子よりなり、かつ、前記第１および第２のグループのルミファーの両者は、もし励起されれば、５５５ｎｍから５８５ｎｍまでの範囲内に主要波長を持つ光を発するであろう、該照明装置内のすべてのルミファーよりなる。
【００６１】
本発明の主題の第１の側面、第２の側面、第３の側面、第６の側面、第７の側面、および第８の側面によるいくらかの実施形態において、前記照明装置は、さらに、少なくとも１つの電源線を備え、かつ、前記第１のグループの固体発光素子は、前記少なくとも１つの電源線に直接、または、スイッチ可能に電気的に接続された、かつ、もし照明されれば、４３０ｎｍから４８０ｎｍまでの範囲内にピーク波長を持つ光を発するであろう、すべての固体発光素子よりなる。
【００６２】
本発明の主題の第４の側面、第５の側面、第９の側面、および第１０の側面によるいくらかの実施形態において、前記照明装置は、さらに、少なくとも１つの電源線を備え、かつ、該第１のグループの固体発光素子は、前記少なくとも１つの電源線に直接、または、スイッチ可能に電気的に接続された、かつ、もし照明されれば、４３０ｎｍから４８０ｎｍまでの範囲内にピーク波長を持つ光を発するであろう、すべての固体発光素子よりなる。
【００６３】
本発明の主題の第１の側面、第２の側面、第３の側面、第６の側面、第７の側面、および第８の側面によるいくらかの実施形態において、前記第１のグループのルミファーは、もし、電源が前記少なくとも１つの電源線に供給されれば、照明されるすべてのルミファーよりなり、かつ、もし、電源が前記少なくとも１つの電源線に供給されれば、前記第１および前記第２のグループのルミファーにおけるルミファーのおのおのは、照明される。
【００６４】
本発明の主題の第４の側面、第５の側面、第９の側面、および第１０の側面によるいくらかの実施形態において、前記第１および第２のグループのルミファーは、もし、電源が、前記少なくとも１つの電源線に供給されれば、照明されるすべてのルミファーよりなり、かつ、もし、電源が前記少なくとも１つの電源線に供給されれば、前記第１および前記第２のグループのルミファーにおけるルミファーのおのおのは、照明される。
【００６５】
本発明の主題の第１の側面、第２の側面、第３の側面、第６の側面、第７の側面、および第８の側面によるいくらかの実施形態において、もし、前記第１のグループの固体発光素子における固体発光素子のすべてが、照明されれば、前記第１のグループのルミファーにおけるルミファーのおのおのは、前記固体発光素子の少なくとも１つから出射される光により励起されるであろう。
【００６６】
本発明の主題の第４の側面、第５の側面、第９の側面、および第１０の側面によるいくらかの実施形態において、もし、前記第１および第２のグループの固体発光素子におけるすべての固体発光素子が、照明されれば、前記第１および第２のグループのルミファーにおけるルミファーのおのおのは、前記固体発光素子の少なくとも１つからの光により励起されるであろう。
【００６７】
本発明の主題の第１の側面、第２の側面、第３の側面、第６の側面、第７の側面、および第８の側面によるいくらかの実施形態において、前記第１のグループの固体発光素子における固体発光素子のおのおのは、前記第１のグループのルミファーの少なくとも１つがまた埋め込まれている１つの包囲体要素の中に埋め込まれている。
【００６８】
本発明の主題の第４の側面、第５の側面、第９の側面、および第１０の側面によるいくらかの実施形態において、もし、前記第１および第２のグループの固体発光素子における固体発光素子のおのおのが、照明されれば、前記第１および第２のグループの固体発光素子における固体発光素子のおのおのは、前記第１および第２のグループのルミファーの少なくとも１つが、また埋め込まれている包囲体要素内に埋め込まれている。
【００６９】
本発明の主題の第１の側面、第２の側面、第３の側面、第６の側面、第７の側面、および第８の側面によるいくらかの実施形態において、前記第１のグループの固体発光素子は、少なくとも５つの固体発光素子よりなり、かつ、前記第１のグループのルミファーは、少なくとも５つのルミファーよりなる。
【００７０】
本発明の主題の第４の側面、第５の側面、第９の側面、および第１０の側面によるいくらかの実施形態において、前記第１および第２のグループの固体発光素子の両者は、少なくとも５つの固体発光素子よりなり、かつ、前記第１および第２のグループのルミファーの両者は、少なくとも５つのルミファーよりなる。
【００７１】
本発明の主題の第１の側面、第２の側面、第３の側面、第６の側面、第７の側面、および第８の側面によるいくらかの実施形態において、前記第１のグループの固体発光素子は、少なくとも１０個の固体発光素子よりなり、かつ、前記第１のグループのルミファーは、少なくとも１０個のルミファーよりなる。
【００７２】
本発明の主題の第４の側面、第５の側面、第９の側面、および第１０の側面によるいくらかの実施形態において、前記第１および第２のグループの固体発光素子の両者は、少なくとも１０個の固体発光素子よりなり、かつ、前記第１および第２のグループのルミファーの両者は、少なくとも１０個のルミファーよりなる。
【００７３】
本発明の主題の第１の側面、第２の側面、第３の側面、第６の側面、第７の側面、および第８の側面によるいくらかの実施形態において、前記第１のグループの固体発光素子は、少なくとも２５個の固体発光素子よりなり、かつ、前記第１のグループのルミファーは、少なくとも２５個のルミファーよりなる。
【００７４】
本発明の主題の第４の側面、第５の側面、第９の側面、および第１０の側面によるいくらかの実施形態において、前記第１および第２のグループの固体発光素子の両者は、少なくとも２５個の固体発光素子よりなり、かつ、前記第１および第２のグループのルミファーの両者は、少なくとも２５個のルミファーよりなる。
【００７５】
さらなる側面において、本発明の主題は、密閉された空間と、上記した少なくとも１つの照明装置とよりなる、包囲体であって、そこでは、もし照明装置が照明されれば、該照明装置は、該包囲体の少なくとも一部を照明するであろうもの、に向けられている。
【００７６】
さらなる側面において、本発明の主題は、表面と、上記した少なくとも１つの照明装置とよりなる、照明要素であって、そこでは、もし照明装置が照明されれば、該照明装置は、該表面の少なくとも一部を照明するであろうもの、に向けられている。
【００７７】
さらなる側面において、本発明の主題は、照明が要求される装置ではあるが、しかし、高いＣＲＩ  Ｒａは必ずしも要求されず、かつ、該装置は、上述した照明装置を含むもの、に向けられている。このような装置の代表的な例は、動きセンサ、携帯電話、信号灯、フラッシュ光、ドアベル指示器、緊急照明、補助照明、アウトドア照明、緊急退出照明、および、背景光（たとえば、おもちゃ、携帯電話、等における）を含む。緊急退出照明に関係した本発明の主題の特定の側面において、光は、緊急イベントの生起に応答して照明され（たとえば、ファイヤアラームが引っ張られ、煙アラームがトリガーされる）、かつ、もし、ある期間（それは、選択可能である）、たとえば、５分の間、何らの動きも検出されなければ、該光は、自動的にターンオフされ（かつ、もし、動きが再び検出されれば、再び、ターンバックされる）。
【００７８】
さらなる側面において、本発明の主題は、上記したような少なくとも１つの照明装置よりなる光取付体に向けられている。
【図面の簡単な説明】
【００７９】
【図１】図１は、１９３１年ＣＩＥ色度図を示す。
【図２】図２は、１９７６年色度図を示す。
【図３】図３は、国体位置を詳細に示すために、１９７６年色度図の拡大図を示す。
【図４】図４は、本発明の主題による照明装置の第１の実施形態を示す。
【図５】図５は、本発明の主題による装置において使用することのできるパッケージ化されたＬＥＤの代表的な例を描く。
【発明を実施するための形態】
【００８０】
発明の詳細な説明
本発明の主題は、本発明の実施形態が示された添付の図面を参照して、以下に、十分に説明されるであろう。しかしながら、この発明主題は、ここで打ち立てられた実施形態に限定して解釈されるべきではない。むしろ、これらの実施形態は、この開示が、完全で完璧であり、本発明の主題の範囲を、当業者に運ぶように、与えられる。同様の要素に対しては、全体を通して同様の数字が与えられる。ここで使用されるように、用語“および／または”は、１つ、またはそれ以上の関連するリストされたアイテムの任意のもの、および、すべての結合を含む。
【００８１】
ここで使用される用語は、特定の実施形態のみを記述する目的のためのものであり、本発明の主題を限定することが意図されているものではない。ここで使用されるように、単一形“a”、“an”、および“the”は、文脈が明らかにそうでないことを示していなければ、複数形をも含むことが意図されている。さらに、用語“comprises”、および／または“comprising”は、この明細書において使用されるときは、述べられた、特徴、整数、ステップ、動作、要素、および／または構成要素の存在を特定するが、しかし、その、１つ、またはそれ以上の他の特徴、整数、ステップ、動作、要素、構成要素、および／または、それらのグループの存在、または付加を排除するものではない。
【００８２】
層、領域、または基板等の要素が、ここでもう１つの要素の上に（“on”）ある、あるいは、の上に（“onto”）伸びている、と言及されるとき、それは該他の要素上に直接ある（“directly on”）、あるいは該他の要素上に直接（“directly onto”）伸びることもでき、あるいは中間の要素がまた存在してもよい。対照的に、ある要素がもう１つの要素の直接上に（“directly on”）ある、あるいは直接上に（“directly onto”）伸びている、と言及されるとき、中間の要素は存在しない。また、ある要素がもう１つの要素に接続されている（“connected”）、または結合されている（“coupled”）、と言及されるとき、それは、該他の要素に直接接続されている、あるいは該他の要素に直接結合されている、ことができ、あるいは中間の要素がまた存在してもよい。対照的に、ある要素がもう１つの要素に直接に接続されている（“directly connected”）、または、直接に結合されている（“directly coupled”）と言及されるとき、中間の要素は存在しない。
【００８３】
ここで使用される用語“第１の”、“第２の”等は、種々の要素、構成要素、領域、層、セクション、および／またはパラメータを記述するために用いられるが、これらの要素、構成要素、領域、層、セクション、および／またはパラメータは、これらの用語によって限定されるものではない。これらの用語は、単に、１つの要素、構成要素、領域、層、またはセクションを、もう１つの要素、構成要素、領域、層、またはセクションから区別するためにのみ用いられる。このように、以下で議論される第１の要素、構成要素、領域、層、またはセクションは、本発明の教えから離れることなく、第２の要素、構成要素、領域、層、またはセクションと言われることができる。
【００８４】
さらに、相対的用語“より低い”または“底の”、および“より上の”または“上面の”は、図面に示されたような１つの要素のもう１つの要素に対する関係を記述するために用いられる。このような相対的用語は、図面において描かれた方位に加えて該デバイスの異なる方位をカバーすることが意図されている。たとえば、もし該図面に示されるデバイスがひっくり返されれば、該他の要素の“より低い”側上にあると記述されている要素は、そのとき、該他の要素の“より上の”側上に方位を向けられているであろう。好ましい用語“より下の”は、それゆえ、該図面の特定の方向に依存した“より下の”、および“より上の”の方位の両方をカバーする。同様に、もし、該図面の１つにおけるデバイスがひっくり返されれば、他の要素の“下に”あるいは“下側に”あると記述されている要素は、そのとき、該他の要素の“上に”方位を向けられているであろう。好ましい用語“下に”または“下側に”は、それゆえ、上におよび下に、の両方の方位をカバーするであろう。
【００８５】
固体発光素子に言及するときにここで使用される表現“照明”（または、“照明された”）は、少なくともいくらかの電流が固体発光素子に供給されて、該固体発光素子をして少なくともいくらかの光を発光せしめることを意味する。表現“照明された”は、該固体発光素子が、光を連続的に、あるいは、人間の目がそれを連続的に光を発していると感じるような速度で、光を間欠的に発している状況、あるいは、同じ色、または異なる色の複数の発光ダイオードが、人間の目がそれらを光を連続的に発していると（かつ、異なる色が出射される場合には、それらの色の混合物として）感じるような態様で光を間欠的に、および／または交互に（“on”時間におけるオーバーラップありで、または、なしで）発している状況をカバーする。
【００８６】
ルミファーに言及するときにここで使用される、表現“励起された”は、少なくともいくらかの電磁放射（たとえば、可視光、紫外光、または赤外光）がルミファーと接触し、該ルミファーをして少なくともいくらかの光を発生せしめることを意味する。表現“励起された”は、ルミファーが、光を連続的に、あるいは、人間の目がそれを光を連続的に発していると感ずるような速度で間欠的に発している状況、あるいは、同じ色、または異なる色の複数のルミファーが人間の目がそれらを光を連続的に発していると（かつ、異なる色が出射される場合には、それらの色の混合物として）感じるような態様で光を間欠的に、および／または交互に（“on”時間におけるオーバーラップありで、または、なしで）発している状況をカバーする。
【００８７】
ここで使用される表現“飽和された”は、少なくとも８５％の純度を持つことを意味し、用語“純度”は、当業者によく知られた意味を持ち、かつ純度を計算するための手続きは、当業者によく知られている。
【００８８】
ここで使用される、表現“照明装置”は、それが光を発することができるものであることを除いて、限定されるものではない。即ち、照明装置は、領域、または体積、たとえば、構造、水泳プールまたはスパ、部屋、倉庫、指示器、道、パーキングロット、車両、信号、たとえば、道路標識、ビルボード、船、おもちゃ、鏡、ベッセル、電子装置、ボート、航空機、スタジアム、コンピュータ、遠隔音響装置、遠隔ビデオ装置、携帯電話、木、窓、ＬＣＤディスプレイ、洞窟、トンネル、庭、ランプポスト、を照明するデバイス、あるいは、包囲体を照明するデバイス、またはデバイスアレイ、あるいは、エッジ、または背景照明に使用されるデバイス（たとえば、背景光のポスター、標識、ＬＣＤディスプレー）、バルブ置替体（たとえば、ＡＣ白熱電灯、低電圧灯、蛍光灯、等）、室外照明に使用されるライト、安全照明に使用されるライト、室外居住照明に使用されるライト（壁マウント、ポスト／カラムマウント）、天井取付体／壁取付け用燭台、キャビネット下照明、ランプ（床、および／またはテーブル、および／またはデスク）、景観照明、トラック照明、タスク照明、特殊照明、天井ファン照明、アーカイブ／アート表示照明、高振動／衝撃照明 − 作業用照明、等、鏡／化粧テーブル照明、または、任意の他の発光デバイスであることができる。
【００８９】
本発明の主題はさらに、照明された包囲体（その体積は、均一に、あるいは不均一に、照明されることができる）に関係し、該照明された包囲体は、包囲された空間と、本発明の主題による少なくとも１つの照明装置とよりなり、ここで、該照明装置は、該包囲体の少なくとも一部を（均一に、あるいは不均一に）照明する。
【００９０】
本発明の主題は、さらに、照明された領域に向けられており、これは、構造、水泳プールまたはスパ、部屋、倉庫、指示器、道、パーキングロット、車両、信号、たとえば、道路標識、ビルボード、船、おもちゃ、鏡、ベッセル、電子装置、ボート、飛行機、スタジアム、コンピュータ、遠隔音響装置、遠隔ビデオ装置、携帯電話、木、窓、ＬＣＤディスプレー、洞窟、トンネル、庭、ランプポスト、等、よりなるグループから選択された少なくとも１つのアイテムであって、その中、またはその上に、本発明の主題によるなくとも１つの照明装置をマウントしたものよりなる。
【００９１】
もし、他の方法でもって定義されなければ、ここで使用される（技術的、および科学的用語を含む）すべての用語は、発明が属する技術の分野における当業者によって共通に理解されるのと同じ意味を持つ。共通に使用される辞書において定義されたもの、のような用語は、関連する技術および本開示の文脈におけるそれらの意味と一環した意味を持つものと解釈されるべきであり、明確にここでそのように定義されたのでなければ、理想化された、または過度に形式的な意味では解釈されないであろうことがさらに理解される。さらに、もう１つの特徴に“隣接して”配置された構造または特徴に対する参照は、該隣接する特徴を覆う、またはその下にある部分をもつであろう、ことも当業者によって理解されるであろう。
【００９２】
本発明によるデバイスにおいて使用される固体発光素子（または、複数固体発光素子）、および、本発明によるデバイスにおいて使用されるルミファー（または、複数ルミファー）は、当業者に知られた任意の固体発光素子、およびルミファーの中から選択されることができる。種々の固体発光素子が、よく知られている。広い種々のこのような固体発光素子、およびルミファーは、当業者により容易に入手可能であり、かつ、よく知られており、かつ、それらの任意のものも、用いることができる。
【００９３】
このような発光ダイオードのタイプの例は、無機の、および有機の発光ダイオードを含み、そのおのおのの種々のものは、技術においてよく知られている。本発明による装置において用いられる固体発光素子は、可視光、近紫外光、紫外光、赤外光、および／またはそれらの結合を発する発光素子であることができる。
【００９４】
該１つの、またはそれ以上のルミネッセント材料は、任意の所望のルミネッセント材料であることができる。該１つの、またはそれ以上のルミネッセント材料は、ダウンコンバートするものでも、あるいはアップコンバートするものでもよく、あるいは、両タイプの結合を含むことができる。たとえば、該１つの、あるいは、それ以上のルミネッセント材料は、リン発光体、シンチレーター、昼日グローテープ、および、紫外光を照射されたとき可視スペクトルで発光するインク、等、の中から選択されることができる。
【００９５】
該１つの、またはそれ以上のルミネッセント材料は、任意の形態で設けられることができる。たとえば、該ルミネッセント要素は、シリコーン材料、エポキシ材料、ガラス材料、または金属酸化物材料、等の樹脂（すなわち、ポリマーマトリックス）内に埋められることができる。
【００９６】
該１つの、または、それ以上のルミファーは、個々に、任意のルミファーであることができ、それの広い範囲の種々のものは、上記したように当業者に公知である。たとえば、該１つ、またはそれ以上のルミファー（または、そのおのおの）は、１つ、またはそれ以上のルミファーよりなることができる（あるいは、本質的に、により構成されることができる、あるいは、により構成されることができる）。該１つ、またはそれ以上のルミファー（または、そのおのおの）は、もし望まれれば、さらに、１つ、またはそれ以上の高度に透過性の（たとえば、透明の、実質的に透明の、あるいは、幾分拡散性の）バインダー、たとえば、エポキシ、シリコーン、ガラス、金属酸化物、または任意の他の適切な材料（たとえば、１つ、またはそれ以上のバインダーよりなる任意の与えられたルミファーにおいては、１つ、またはそれ以上のリン発光体が、該１つ、またはそれ以上のバインダー内に分散されることができる）よりなる、を備えることができる。たとえば、該ルミファーが厚ければ、一般に、該リン発光体の重量パーセントは、より低いものであることができる。
【００９７】
該１つ、またはそれ以上のルミファーの、該１つ、またはおのおのは、独立に、さらに、数多くの公知の添加剤、たとえば、拡散剤、散乱剤、ティント、等の、任意のものよりなることができる。
【００９８】
適切なＬＥＤの代表的な例は、以下のものに記述されている：
(1) 米国特許出願第６０／７５３，１３８号、２００５年１２月２２日出願、名称“照明装置”（発明者：ジェラルド  Ｈ．ネグレイ；代理人ドケット番号９３１＿００３ＰＲＯ）、および、米国特許出願第１１／６１４，１８０号、２００６年１２月２１日出願、それらの全体は、参照によりここに組み入れられる；
(2) 米国特許出願第６０／７９４，３７９号、２００６年４月２４日出願、名称“ルミファー膜を空間的に分離することにより、ＬＥＤにおけるスペクトル内容をシフトすること”（発明者：ジェラルド  Ｈ．ネグレイ、およびアントニー  ポール  ヴァンデヴェン；代理人ドケット番号９３１＿００６ＰＲＯ）、および、米国特許出願第１１／６２４，８１１号、２００７年０１月１９日出願、それらの全体は、参照によりここに組み入れられる；
(3) 米国特許出願第６０／８０８，７０２号、２００６年５月２６日出願、名称“照明装置”（発明者：ジェラルド  Ｈ．ネグレイ、およびアントニー  ポール  ヴァンデヴェン；代理人ドケット番号９３１＿００９ＰＲＯ）、および、米国特許出願第１１／７５１，９８２号、２００７年５月２２日出願、それらの全体は、参照によりここに組み入れられる：
(4) 米国特許出願第６０／８０８，９２５号、２００６年５月２６日出願、名称“固体発光装置、およびこれを製造する方法”（発明者：ジェラルド  Ｈ．ネグレイ、およびニール  ハンター；代理人ドケット番号９３１＿０１０ＰＲＯ）、および、米国特許出願第１１／７５３，１０３号、２００７年５月２４日出願、それらの全体は、参照によりここに組み入れられる；
(5) 米国特許出願第６０／８０２，６９７号、２００６年５月２３日出願、名称“照明装置、および製造方法”（発明者：ジェラルド  Ｈ．ネグレイ；代理人ドケット番号９３１＿０１１ＰＲＯ）、および、米国特許出願第１１／７５１，９９０号、２００７年５月２２日出願、それらの全体は、参照によりここに組み入れられる；
(6) 米国特許出願第６０／８３９，４５３号、２００６年８月２３日出願、名称“照明装置、および照明方法”（発明者：アントニー  ポール  ヴァンデヴェン、およびジェラルド  Ｈ．ネグレイ；代理人ドケット番号９３１＿０３４ＰＲＯ）、および、米国特許出願第１１／８４３、２４３号、２００７年８月２２日出願、それらの全体はその全体が参照によりここに組み入れられる;
(7) 米国特許出願第６０／８５７，３０５号、２００６年１１月７日出願、名称“照明装置、および照明方法”（発明者：アントニー  ポール  ヴァンデヴェン、ジェラルド  Ｈ．ネグレイ；代理人ドケット番号９３１＿０２７ＰＲＯ）、その全体が参照によりここに組み入れられる;および、
(8) 米国特許出願第６０／８５１，２３０号、２００６年１０月１２日出願、名称“照明装置、およびこれを製造する方法”（発明者：ジェラルド  Ｈ．ネグレイ；代理人ドケット番号９３１＿０４１ＰＲＯ）、その全体が参照によりここに組み入れられる。
【００９９】
本発明の主題のいくつかの実施形態においては、各電源線の１つに、電気的に接続された、１つ、またはそれ以上のスイッチが、さらに設けられており、これにより、該スイッチは、該電源線上の固体発光素子への電流を、選択的にスイッチオン、およびオフする。
【０１００】
本発明の主題によるいくらかの照明装置において、該照明装置における１つ、またはそれ以上の固体発光素子のうちの少なくとも１つを通って電流を供給する、および制御するための１つ、またはそれ以上の回路網要素、たとえば、駆動電子回路が、含まれている。当業者は、固体発光素子を通って電流を供給し、かつ、制御する広い範囲の種々の方法を、よく知っており、かつ、任意のこのような方法は、本発明の主題の装置において用いることができる。たとえば、このような回路網は、少なくとも１つのコンタクト、少なくとも１つのリードフレーム、少なくとも１つの電流調整器、少なくとも１つの電源コントロール、少なくとも１つのブースト、少なくとも１つの容量、および／または、少なくとも１つのブリッジ整流器を含み、当業者は、このような構成要素をよく知っており、どのような電流フロー特性が望ましいかを満たすよう、適切な回路網を容易に設計することができる。たとえば、本発明の主題を実行するのに用いることのできる回路網は、以下に、記述されている：
(1) 米国特許出願第６０／７５２，７５３号、２００５年１２月２１日出願、名称“照明装置”（発明者：ジェラルド  Ｈ．ネグレイ、アントニー  ポール  ヴァンデヴェン、およびニール  ハンター；代理人ドケット番号９３１＿００２ＰＲＯ）、および米国特許出願第１１／６１３，６９２号、２００６年１２月２０日出願、それらの全体が参照によりここに組み入れられる；
(2) 米国特許出願第６０／７９８，４４６号、２００６年５月５日出願、名称“照明装置”（発明者：アントニー  ポール  ヴァンデヴェン；代理人ドケット番号９３１＿００８ＰＲＯ）、および米国特許出願第１１／７４３，７５４号、２００７年５月３日出願、それらの全体が参照によりここに組み入れられる；
(3) 米国特許出願第６０／８０９，９５９号、２００６年６月１日出願、名称“冷却を備えた照明装置”（発明者：トーマス  Ｇ．コールマン、ジェラルド  Ｈ．ネグレイ、およびアントニー  ポール  ヴァンデヴェン；代理人ドケット番号９３１＿００７ＰＲＯ）、および米国特許出願第１１／６２６，４８３号、２００７年１月２４日出願、それらの全体が参照によりここに組み入れられる；
(4) 米国特許出願第６０／８０９，５９５号、２００６年５月３１日出願、名称“照明装置、および照明方法”（発明者：ジェラルド  Ｈ．ネグレイ；代理人ドケット番号９３１＿０１８ＰＲＯ）、および米国特許出願第１１／７５５，１６２号、２００７年５月３０日出願、それらの全体が参照によりここに組み入れられる；
(5) 米国特許出願第６０／８４４，３２５号、２００６年９月１３日出願、名称“低側ＭＯＳＦＥＴ電流制御を持つブースト／フライバック電源トポロジー”（発明者：ピーター  Ｊ．メイヤーズ；代理人ドケット番号９３１＿０２０ＰＲＯ）、および米国特許出願第１１／８５４，７４４号、２００７年９月１３日出願、それらの全体が参照によりここに組み入れられる。
【０１０１】
本発明は、さらに、照明された包囲体に関係し、該照明された包囲体は、包囲された空間と、本発明による少なくとも１つの照明装置とよりなり、ここで、該照明装置は、該包囲体の少なくとも一部を、照明する。
【０１０２】
本発明は、さらに、照明された表面に関係し、該照明された表面は、表面と、本発明による少なくとも１つの照明装置とよりなり、ここで、該照明装置は、該表面の少なくとも一部を、照明する。
【０１０３】
本発明は、さらに、照明された領域に関係し、該照明された領域は、水泳プール、部屋、倉庫、指示器、道、車両、道路標識、ビルボード、船、ボート、飛行機、スタジアム、木、窓、および、ランプポスト、よりなるグループから選択された少なくとも１つの領域であって、その中、またはその上に、本発明の主題による少なくとも１つの照明装置をマウントしたもの、よりなる。
【０１０４】
さらに、当業者は、多くの異なるタイプの照明のための広い種々の範囲のマウント構造をよく知っており、かつ、任意のこのような構造は、本発明の主題にしたがって用いることができる。たとえば、図４は、本発明の主題による照明装置の第１の実施形態を示す。
【０１０５】
本発明の主題による実施形態は、本発明の主題の理想的な実施形態の模式的図解である、断面図解（および／または、平面図）を参照して記述される。このように、たとえば、製造技術、および／または耐性の結果としての図解の形状からの変形は、予想されるものである。このように、本発明の実施形態は、ここで図解された領域の特定の形状に限定して解釈されるべきものではなく、たとえば、製造から生じる形状の変形をも含むべきものである。たとえば、矩形であるとして図示された、または記述された、モールドされた領域は、代表的に丸くされた、またはカーブされた特徴を持つであろう。このように、図面に図示された領域は、性質上、模式的のものであり、それらの形状は、装置の領域の正確な形状を図示することが意図されているのではなく、また、本発明の範囲を限定することが意図されているものでもない。
【０１０６】
図４を参照して、熱拡散要素１１（アルミニウムにより形成された）、絶縁領域１２（熱的に伝導性であり、かつ電気的には伝導性ではない、その広い範囲の種々のものは当業者によく知られている、たとえば、シリコンカーバイド、ダイヤモンド、キュービックボロンナイトライド、アルミナ、等により任意に充たされたセラミック、エポキシ、またはシリコーンよりなる）、高反射性表面１３（アルミニウム熱拡散要素の表面を研磨することによりそれ自身に形成される）、または、ＭＣＰＥＴ（日本の古河電工（株）により市販されている）よりなる）、銅よりなる導電性トレース１４、銀プレートされた銅（または、銀プレートされたマイルドなスティールよりなる）リードフレーム１５、パッケージ化されたＬＥＤ１６、拡散性の光散乱表面を有する反射性コーン１７（ＭＣＰＥＴよりなる）（日本の古河電工（株）により市販されている）、および、拡散要素１８（該拡散要素１８は、光散乱機能を遂行する）を含む照明装置が、示される。
【０１０７】
該熱拡散要素１１の厚さは、約３．０ｍｍである。
反射性コーン１７は、約１ｍｍ厚である。
拡散要素１８は、約３．０ｍｍ厚であり、かつ、表面特徴を持つガラス、またはプラスティックによりつくられる。
図４に示されるデバイスは、さらに、導電性トレース１４を持つ、印刷配線基板（ＰＣＢ）２８を含む。該ＰＣＢは、約１．６ｍｍ厚であり、かつ、ＦＲ４である。
【０１０８】
本発明の主題によるいくらかの実施形態において、１つ、またはそれ以上の固体発光素子は、１つ、またはそれ以上のルミファーとともに１つのパッケージ内に含まれることができ、かつ、該パッケージ内の該１つ、またはそれ以上のルミファーは、米国特許出願第６０／７５３，１３８号、２００５年１２月２２日出願、名称“照明装置”（発明者：ジェラルド  Ｈ．ネグレイ；代理人ドケット番号９３１＿００３ＰＲＯ）、および、米国特許出願第１１／６１４，１８０号、２００６年１２月２１日出願、それらの全体は、参照によりここに組み入れられる、に開示されているように、改善された光抽出効率を達成するために、該パッケージ内の該１つ、またはそれ以上の固体発光素子から、空間を空けられている。
【０１０９】
図５は、本発明の主題によるデバイスにおいて用いることのできるパッケージ化されたＬＥＤの代表的な例を描く。図５を参照して、発光ダイオードチップ３１（すなわち、約４５０ｎｍから約４６５ｎｍの波長範囲、および、２４ｍＷより大きい光学的電力を持つ、クリー社ＸＴ  ＬＥＤ（Ｃ４６０ＸＴ２９０）ダイ）、反射性表面３２を持つリードフレーム１５、銅ワイヤ３３、包囲体領域３４、および、広いスペクトル発光ルミファー３５よりなるパッケージ化されたＬＥＤ１６が、示される。該反射性表面３２は、銀よりつくられている。該包囲体領域３４は、Ｈｙｓｏｌ ＯＳ４００、または、ＧＥ／Ｔｏｓｈｉｂａ Ｉｎｖｉｓｉｌ ５３３２ よりつくられている。該ルミファー３５は、Ｈｙｓｏｌ  ＯＳ４００、または、ＧＥ／Ｔｏｓｈｉｂａ Ｉｎｖｉｓｉｌ ５３３２ よりなるバインダー内に分散されたＰｈｏｓｐｈｅｒ  Ｔｅｃｋ−ＵＫ によるＱＭＫ５８／Ｆ−Ｕ１ ＹＡＧ：Ｃｅよりなるルミネッセント材料よりなる。該ルミネッセント材料は、約１０から約１２重量パーセントの範囲内の量だけ、該バインダー内に負荷されている。該ルミネッセント材料粒子は、約１．６ミクロンから約８．６ミクロンまでの範囲内に粒子サイズを持ち、平均粒子サイズは、約４ミクロンから約５ミクロンまでの範囲内にある。該ルミファー３５は、チップから、約１００ミクロンから約７５０ミクロンの範囲内の距離（たとえば、約５００ミクロンから約７５０ミクロン、たとえば、約７５０ミクロン）だけチップから空間をおいている。該青色チップ３１は、約４５０ｎｍ から約４６５ｎｍの範囲内のピーク波長を持つ光を発する。
【０１１０】
本発明の主題によるいくらかの実施形態において、２つ、またはそれ以上のルミファーが、与えられ、該２つ、又はそれ以上のルミファーは、米国特許出願第６０／７９４，３７９号、２００６年４月２４日出願、名称“ルミファー膜を空間的に分離することにより、ＬＥＤにおけるスペクトル内容をシフトすること”（発明者：ジェラルド  Ｈ．ネグレイ、およびアントニー  ポール  ヴァンデヴェン；代理人ドケット番号９３１＿００６ＰＲＯ）、および、米国特許出願第１１／６２４，８１１号、２００７年１月１９日出願、それらの全体は、参照によりここに組み入れられる、に開示されているように、互いに、間隔をあけられている。
【０１１１】
本発明の主題によるいくらかの照明装置において、さらに、１つ、または、それ以上の電源、および／または、太陽電池、および／または、１つ、またはそれ以上の標準ＡＣ電源プラグ、が含まれる。
【０１１２】
本発明の主題による照明装置は、任意の所望の数のＬＥＤおよびルミファーよりなる。たとえば、本発明の主題による照明装置は、５０又はそれ以上の発光ダイオードを含むことができ、あるいは、１００又はそれ以上の発光ダイオード、等を含むことができる。
【０１１３】
本発明の主題による照明装置における可視光源は、任意の所望の形態で、配列され、マウントされ、電気を供給されることができ、かつ、任意の所望のハウジング、または取付体上にマウントされることができる。当業者は、広い範囲の種々の配列、マウントスキーム、および電源供給装置をよく知っており、かつ、任意のこのような配列、スキーム、および装置、ハウジング、および取付体は、本発明の主題と関連して用いることができる。本発明の主題による照明装置は、任意の所望の電源に電気的に接続される（または、選択的に接続される）ことができ、当業者は、種々のこのような電源を、よく知っている。
【０１１４】
可視光源の配列、可視光源をマウントするスキーム、可視光源に電気を供給する装置、可視光源のためのハウジング、可視光源のための取付体、および可視光源のための電源であって、すべて、本発明の照明装置に適切なものは、米国特許出願第６０／７５２，７５３号、２００５年１２月２１日出願、名称“照明装置”（発明者：ジェラルド  Ｈ．ネグレイ、アントニー  ポール  ヴァンデヴェン、およびニール  ハンター；代理人ドケット番号９３１＿００２ＰＲＯ）、および米国特許出願第１１／６１３，６９２号、２００６年１２月２０日出願、それらの全体が参照によりここに組み入れられるに記述されている。
【０１１５】
ここで記述された照明装置の任意の２つ、またはそれ以上の構造的部分は、一体化されることができる。ここで記述された照明装置の任意の構造的部分は、２つ、またはそれ以上の部品（もし必要であれば、一緒に持つことのできる）にて、設けられることができる。
【０１１６】
さらに、本発明のいくらかの実施形態は、要素の特定の結合を参照して図解されたが、種々の他の結合は、また、本発明の教えから離れることなく、設けられることができる。このように、本発明は、ここで記述された、および図面に図解された好ましい実施形態に限定して解釈されるべきではなく、しかし、また、種々の図解された実施形態の要素の結合をもカバーし得る。
【０１１７】
多くの変形例、及び修整は、本開示の利点を与えられて、本発明の精神および範囲から離れることなく、当業者によりなされることができる。それゆえ、図解された実施形態は、例としての目的のためにのみに、あげられたものであると理解されるべきであり、かつ、以下の請求項により定義される本発明を限定するものと解釈されるべきではない。以下の請求項はそれゆえ、文字どおり言われた要素の結合のみでなく、実質的に同じ結果を得るために実質的に同じ方法で実質的に同じ機能を遂行するすべての等価な要素を含むよう、読まれるべきである。請求項は、このように、特定的に図解され、上記のように記述されたもの、概念的に等価なもの、および、本発明の本質的なアイデアを組み入れるものを、含むものと理解されるべきである。
【図１】
2010509788.tif 000002
【図２】
2010509788.tif 000003
【図３】
2010509788.tif 000004
【図４】
2010509788.tif 000005
【図５】
2010509788.tif 000006
【手続補正書】
【提出日】平成21年9月25日(2009.9.25)
【手続補正１】
【補正対象書類名】特許請求の範囲
【補正対象項目名】全文
【補正方法】変更
【補正の内容】
【特許請求の範囲】
【請求項１】
照明装置であって、以下のものからなる：
第１のグループの固体発光素子; および、
第１のグループのルミファー；
ここで、
もし、前記第１のグループの固体発光素子のおのおのが、照明され、かつ、前記第１のグループのルミファーのおのおのが、励起されれば、前記第１のグループの固体発光素子、および前記第１のグループのルミファー、より出射される光の混合物は、任意の付加的な光のないところでは、１９３１年ＣＩＥ色度図上の、第１、第２、第３、および第４の線分により囲まれる領域内にある点を定義するｘ、ｙカラー座標、ここで、前記第１の線分は、第１の点を第２の点に接続し、前記第２の線分は、第２の点を第３の点に接続し、前記第３の線分は、第３の点を第４の点に接続し、前記第４の線分は、第４の点を第１の点に接続し、前記第１の点は、０．３２、０．４０のｘ、ｙ座標を持ち、前記第２の点は、０．３６、０．３８のｘ、ｙ座標を持ち、前記第３の点は、０．４１、０．４５５のｘ、ｙ座標を持ち、前記第４の点は、０．３６、０．４８のｘ、ｙ座標を持つ、を持つ第１のグループの混合照明を持つであろう。
【請求項２】
照明装置であって、以下のものよりなる：
第１のグループの固体発光素子; および、
第１のグループのルミファー；
ここで、
もし、前記第１のグループの固体発光素子のおのおのが、照明され、かつ、前記第１のグループのルミファーのおのおのが、励起されれば、前記第１のグループの固体発光素子、および前記第１のグループのルミファー、より出射される光の混合物は、任意の付加的な光のないところでは、１９３１年ＣＩＥ色度図上の、第１、第２、第３、および第４の線分により囲まれる領域内にある点を定義するｘ、ｙカラー座標、ここで、前記第１の線分は、第１の点を第２の点に接続し、前記第２の線分は、第２の点を第３の点に接続し、前記第３の線分は、第３の点を第４の点に接続し、前記第４の線分は、第４の点を第１の点に接続し、前記第１の点は、０．３６、０．４８のｘ、ｙ座標を持ち、前記第２の点は、０．４３、０．４５のｘ、ｙ座標を持ち、前記第３の点は、０．５１２５、０．４８６６のｘ、ｙ座標を持ち、前記第４の点は、０．４０８７、０．５８９６のｘ、ｙ座標を持つ、を持つ第１のグループの混合照明を持つであろう。
【請求項３】
照明装置であって、以下のものよりなる：
第１のグループの固体発光素子； および
第１のグループのルミファー；
ここで、
もし、前記第１のグループの固体発光素子のおのおのが、照明され、かつ、前記第１のグループのルミファーのおのおのが、励起されれば、前記第１のグループの固体発光素子、および前記第１のグループのルミファー、より出射される光の混合物は、任意の付加的な光のないところでは、１９３１年ＣＩＥ色度図上の、第１、第２、第３、および第４の線分により囲まれる領域内にある点を定義するｘ、ｙカラー座標、ここで、前記第１の線分は、第１の点を第２の点に接続し、前記第２の線分は、第２の点を第３の点に接続し、前記第３の線分は、第３の点を第４の点に接続し、前記第４の線分は、第４の点を第１の点に接続し、前記第１の点は、０．４１、０．４５５のｘ、ｙ座標を持ち、前記第２の点は、０．３６、０．４８のｘ、ｙ座標を持ち、前記第３の点は、０．４０８７、０．５８９６のｘ、ｙ座標を持ち、前記第４の点は、０．４７８８、０．５２０２のｘ、ｙ座標を持つ、を持つ第１のグループの混合照明を持つであろう。
【請求項４】
照明装置であって、以下のものからなる：
第１のグループの固体発光素子;
第１のグループのルミファー；
第２のグループの固体発光素子;および、
第２のグループのルミファー；
ここで、
もし、前記第１のグループの固体発光素子のおのおのが、照明され、かつ、前記第１のグループのルミファーのおのおのが、励起されれば、前記第１のグループの発光ダイオード、および前記第１のグループのルミファー、より出射される光の混合物は、任意の付加的な光のないところでは、１９３１年ＣＩＥ色度図上の、第１、第２、第３、および第４の線分により囲まれる領域内にある点を定義するｘ、ｙカラー座標、ここで、前記第１の線分は、第１の点を第２の点に接続し、前記第２の線分は、第２の点を第３の点に接続し、前記第３の線分は、第３の点を第４の点に接続し、前記第４の線分は、第４の点を第１の点に接続し、前記第１の点は、０．３６、０．４８のｘ、ｙ座標を持ち、前記第２の点は、０．４３、０．４５のｘ、ｙ座標を持ち、前記第３の点は、０．５１２５、０．４８６６のｘ、ｙ座標を持ち、前記第４の点は、０．４０８７、０．５８９６のｘ、ｙ座標を持つ、を持つ第１のグループの混合照明を持つであろう；
もし、前記第２のグループの固体発光素子のおのおのが、照明され、および前記第２のグループのルミファーのおのおのが、励起されれば、前記第２のグループの発光ダイオード、および前記第２のグループのルミファー、より出射される光の混合物は、任意の付加的な光のないところでは、１９３１年ＣＩＥ色度図上の、第５、第６、第７、および第８の線分により囲まれる領域内にある点を定義するｘ、ｙカラー座標、ここで、前記第５の線分は、第５の点を第６の点に接続し、前記第６の線分は、第６の点を第７の点に接続し、前記第７の線分は、第７の点を第８の点に接続し、前記第８の線分は、第８の点を第５の点に接続し、前記第５の点は、０．３２、０．４０のｘ、ｙ座標を持ち、前記第６の点は、０．３６、０．３８のｘ、ｙ座標を持ち、前記第７の点は、０．３０、０．２６のｘ、ｙ座標を持ち、前記第８の点は、０．２５、０．２９のｘ、ｙ座標を持つ、を持つ第２のグループの混合照明を持つであろう；
もし、前記第１のグループの固体発光素子および前記第２のグループの固体発光素子のおのおのが照明され、前記第１のグループのルミファーおよび前記第２のグループのルミファーのおのおのが励起されれば、前記第１のグループの固体発光素子、前記第２のグループの固体発光素子、前記第１のグループのルミファー、および前記第２のグループのルミファーから出射される光の混合物は、任意の付加的な光のないところでは、１９３１年ＣＩＥ色度図上の、第９、第１０、第１１、第１２、および第１３の線分により囲まれる領域内にある点を定義するｘ、ｙカラー座標、ここで、前記第９の線分は、第９の点を第１０の点に接続し、前記第１０の線分は、第１０の点を第１１の点に接続し、前記第１１の線分は、第１１の点を第１２の点に接続し、前記第１２の線分は、第１２の点を第１３の点に接続し、第１３の点は、第１３の点を第９の点に接続し、前記第９の点は、０．３２、０．４０のｘ、ｙ座標を持ち、前記第１０の点は、０．３６、０．４８のｘ、ｙ座標を持ち、前記第１１の点は、０．４３、０．４５のｘ、ｙ座標を持ち、前記第１２の点は、０．４２、０．４２のｘ、ｙ座標を持つ、前記第１３の点は、０．３６、０．３８のｘ、ｙ座標を持つ、を持つ第１グループ−第２グループ混合照明をもつ。
【請求項５】
照明装置であって、以下のものよりなる：
第１のグループの固体発光素子；
第１のグループのルミファー；
第２のグループの固体発光素子；および
第２のグループのルミファー；
ここで、
もし、前記第１のグループの固体発光素子のおのおのが照明され、前記第１のグループのルミファーのおのおのが励起されれば、前記第１のグループの固体発光素子、および前記第１のグループのルミファーから出射される光の混合物は、任意の付加的な光のないところでは、１９３１年ＣＩＥ色度図上の、第１、第２、第３、および第４の線分により囲まれる領域内にある点を定義するｘ、ｙカラー座標、ここで、前記第１の線分は、第１の点を第２の点に接続し、前記第２の線分は、第２の点を第３の点に接続し、前記第３の線分は、第３の点を第４の点に接続し、前記第４の線分は、第４の点を第１の点に接続し、前記第１の点は、０．４１、０．４５５のｘ、ｙ座標を持ち、前記第２の点は、０．３６、０．４８のｘ、ｙ座標を持ち、前記第３の点は、０．４０８７、０．５８９６のｘ、ｙ座標を持ち、前記第４の点は、０．４７８８、０．５２０２のｘ、ｙ座標を持つ、を持つ第１のグループの混合照明をもつ；
もし、前記第２のグループの固体発光素子のおのおのが照明され、前記第２のグループのルミファーのおのおのが励起されれば、前記第２のグループの固体発光素子、および前記第２のグループのルミファーから出射される光の混合物は、任意の付加的な光のないところでは、１９３１年ＣＩＥ色度図上の、第５、第６、第７、および第８の線分により囲まれる領域内にある点を定義するｘ、ｙカラー座標、ここで、前記第５の線分は、第５の点を第６の点に接続し、前記第６の線分は、第６の点を第７の点に接続し、前記第７の線分は、第７の点を第８の点に接続し、前記第８の線分は、第８の点を第５の点に接続し、前記第５の点は、０．３２、０．４０のｘ、ｙ座標を持ち、前記第６の点は、０．３６、０．３８のｘ、ｙ座標を持ち、前記第７の点は、０．３０、０．２６のｘ、ｙ座標を持ち、前記第８の点は、０．２５、０．２９のｘ、ｙ座標を持つ、を持つ第２のグループの混合照明をもつ；  かつ、
もし、前記第１のグループの固体発光素子および前記第２のグループの固体発光素子のおのおのが照明され、前記第１のグループのルミファーおよび前記第２のグループのルミファーのおのおのが励起されれば、前記第１のグループの固体発光素子、前記第２のグループの固体発光素子、前記第１のグループのルミファー、および前記第２のグループのルミファーから出射される光の混合物は、任意の付加的な光のないところでは、１９３１年ＣＩＥ色度図上の、第９、第１０、第１１、および第１２の線分により囲まれる領域内にある点を定義するｘ、ｙカラー座標、ここで、前記第９の線分は、第９の点を第１０の点に接続し、前記第１０の線分は、第１０の点を第１１の点に接続し、前記第１１の線分は、第１１の点を第１２の点に接続し、前記第１２の線分は、第１２の点を第９の点に接続し、前記第９の点は、０．３２、０．４０のｘ、ｙ座標を持ち、前記第１０の点は、０．３６、０．３８のｘ、ｙ座標を持ち、前記第１１の点は、０．４１、０．４５５のｘ、ｙ座標を持ち、前記第１２の点は、０．３６、０．４８のｘ、ｙ座標を持つ、を持つ第１グループー第２グループ混合照明をもつ。
【請求項６】
請求項１ないし５のいずれかに記載の照明装置において、
前記第１のグループの固体発光素子のおのおのは、もし、照明されれば、４３０ｎｍから４８０ｎｍまでの範囲内にピーク波長を持つ光を発するであろう；
前記第１のグループのルミファーのおのおのは、もし、励起されれば、約５５５ｎｍから約５８５ｎｍまでの範囲内に主要波長を持つ光を、発するであろう。
【請求項７】
請求項１ないし６のいずれかに記載の照明装置において、前記照明装置は、さらに、少なくとも１つのグループの補助的な固体発光素子を備え、前記グループの補助的な固体発光素子は、少なくとも１つの補助的な固体発光素子を備え、そこで、前記各補助的な固体発光素子は、もし、照明されれば、飽和された光を出射するであろう。
【請求項８】
請求項１ないし７のいずれかに記載の照明装置において、前記第１のグループのルミファーは、前記第１のグループの固体発光素子により出射される光により励起される。
【請求項９】
請求項１ないし８のいずれかに記載の照明装置において、
前記第１のグループの固体発光素子は、もし照明されれば、４３０ｎｍから４８０ｎｍまでの範囲内にピーク波長を持つ光を発するであろう、該照明装置内のすべての固体発光素子よりなり；かつ、
前記第１のグループのルミファーは、もし励起されれば、５５５ｎｍから５８５ｎｍまでの範囲内に主要波長を持つ光を発するであろう、該照明装置内のすべてのルミファーよりなる。
【請求項１０】
照明方法であって、以下のことよりなる：
第１グループの少なくとも１つの固体発光素子よりの光と、第１グループの少なくとも１つのルミファーからの光を、混合して、第１グループの混合照明を生成すること；
前記第１グループ混合照明は、１９３１年ＣＩＥ色度図上の、第１、第２、第３、および第４の線分により囲まれる領域内にある点を定義するｘ、ｙカラー座標、ここで、前記第１の線分は、第１の点を第２の点に接続し、前記第２の線分は、第２の点を第３の点に接続し、前記第３の線分は、第３の点を第４の点に接続し、前記第４の線分は、第４の点を第１の点に接続し、前記第１の点は、０．３２、０．４０のｘ、ｙ座標を持ち、前記第２の点は、０．３６、０．３８のｘ、ｙ座標を持ち、前記第３の点は、０．４１、０．４５５のｘ、ｙ座標を持ち、前記第４の点は、０．３６、０．４８のｘ、ｙ座標を持つ、を持つ。
【請求項１１】
照明方法であって、以下のことよりなる：
第１グループの少なくとも１つの固体発光素子からの光、および第１グループの少なくとも１つのルミファーからの光を混合して、第１グループの混合照明を形成すること；
前記第１グループの混合照明は、１９３１年ＣＩＥ色度図上の、第１、第２、第３、および第４の線分により囲まれる領域内にある点を定義するｘ、ｙカラー座標、ここで、前記第１の線分は、第１の点を第２の点に接続し、前記第２の線分は、第２の点を第３の点に接続し、前記第３の線分は、第３の点を第４の点に接続し、前記第４の線分は、第４の点を第１の点に接続し、前記第１の点は、０．３６、０．４８のｘ、ｙ座標を持ち、前記第２の点は、０．４３、０．４５のｘ、ｙ座標を持ち、前記第３の点は、０．５１２５、０．４８６６のｘ、ｙ座標を持ち、前記第４の点は、０．４０８７、０．５８９６のｘ、ｙ座標を持つ、を持つ。
【請求項１２】
照明方法であって、以下のことよりなる：
第１グループの少なくとも１つの固体発光素子からの光、および第１グループの少なくとも１つのルミファーからの光を混合して、第１グループの混合照明を形成すること；
前記第１グループの混合照明は、１９３１年ＣＩＥ色度図上の、第１、第２、第３、および第４の線分により囲まれる領域内にある点を定義するｘ、ｙカラー座標、ここで、前記第１の線分は、第１の点を第２の点に接続し、前記第２の線分は、第２の点を第３の点に接続し、前記第３の線分は、第３の点を第４の点に接続し、前記第４の線分は、第４の点を第１の点に接続し、前記第１の点は、０．４１、０．４５５のｘ、ｙ座標を持ち、前記第２の点は、０．３６、０．４８のｘ、ｙ座標を持ち、前記第３の点は、０．４０８７、０．５８９６のｘ、ｙ座標を持ち、前記第４の点は、０．４７８８、０．５２０２のｘ、ｙ座標を持つ、を持つ。
【請求項１３】
照明方法であって、以下のことよりなる：
第１グループの少なくとも１つの固体発光素子よりの光、第２グループの少なくとも１つの固体発光素子よりの光を、第１グループの少なくとも１つのルミファーよりの光、および、第２グループの少なくとも１つのルミファーよりの光を、混合して、第１グループ−第２グループ混合照明を生成すること；
前記第１グループ−第２グループ混合照明は、１９３１年ＣＩＥ色度図上の、第９、第１０、第１１、第１２、および第１３の線分により囲まれる領域内にある点を定義するｘ、ｙカラー座標、ここで、前記第９の線分は、第９の点を第１０の点に接続し、前記第１０の線分は、第１０の点を第１１の点に接続し、前記第１１の線分は、第１１の点を第１２の点に接続し、前記第１２の線分は、第１２の点を第１３の点に接続し、前記第１３の線分は、第１３の点を第９の点に接続し、前記第９の点は、０．３２、０．４０のｘ、ｙ座標を持ち、前記第１０の点は、０．３６、０．４８のｘ、ｙ座標を持ち、前記第１１の点は、０．４３、０．４５のｘ、ｙ座標を持ち、前記第１２の点は、０．４２、０．４２のｘ、ｙ座標を持ち、前記第１３の点は、０．３６、０．３８のｘ、ｙ座標を持つ、を持ち、
ここで：
前記第１グループの固体発光素子から出射される光、および前記第１グループのルミファーから出射される光の混合物は、任意の付加的な光のないところでは、１９３１年ＣＩＥ色度図上の、第１、第２、第３、および第４の線分により囲まれる領域内にある点を定義するｘ、ｙカラー座標、ここで、前記第１の線分は、第１の点を第２の点に接続し、前記第２の線分は、第２の点を第３の点に接続し、前記第３の線分は、第３の点を第４の点に接続し、前記第４の線分は、第４の点を第１の点に接続し、前記第１の点は、０．３６、０．４８のｘ、ｙ座標、前記第２の点は、０．４３、０．４５のｘ、ｙ座標を持ち、前記第３の点は、０．５１２５、０．４８６６のｘ、ｙ座標を持ち、前記第４の点は、０．４０８７、０．５８９６のｘ、ｙ座標を持つ、を持つ第１グループの混合照明をもつ、かつ、
前記第２グループの固体発光素子、および前記第２グループのルミファー、から出射される光の混合物は、任意の付加的な光のないところでは、１９３１年ＣＩＥ色度図上の、第５、第６、第７、および第８の線分により囲まれる領域内にある点を定義するｘ、ｙカラー座標、ここで、前記第５の線分は、第５の点を第６の点に接続し、前記第６の線分は、第６の点を第７の点に接続し、前記第７の線分は、第７の点を第８の点に接続し、前記第８の線分は、第８の点を第５の点に接続し、前記第５の点は、０．３２、０．４０のｘ、ｙ座標を持ち、前記第６の点は、０．３６、０．３８のｘ、ｙ座標を持ち、前記第７の点は、０．３０、０．２６のｘ、ｙ座標を持ち、前記第８の点は、０．２５、０．２９のｘ、ｙ座標を持つ、を持つ第２グループの混合照明をもつ。
【請求項１４】
照明方法であって、以下のことよりなる：
第１グループの少なくとも１つの固体発光素子よりの光、第２グループの少なくとも１つの固体発光素子よりの光、第１グループの少なくとも１つのルミファーよりの光、および第２グループの少なくとも１つのルミファーよりの光を、混合して、第１グループー第２グループ混合照明を生成すること；
前記第１グループ−第２グループ混合照明は、１９３１年ＣＩＥ色度図上の、第９、第１０、第１１、および第１２の線分により囲まれる領域内にある点を定義するｘ、ｙカラー座標、ここで、前記第９の線分は、第９の点を第１０の点に接続し、前記第１０の線分は、第１０の点を第１１の点に接続し、前記第１１の線分は、第１１の点を第１２の点に接続し、前記第１２の線分は、第１２の点を第９の点に接続し、前記第９の点は、０．３２、０．４０のｘ、ｙ座標を持ち、前記第１０の点は、０．３６、０．３８のｘ、ｙ座標を持ち、前記第１１の点は、０．４１、０．４５５のｘ、ｙ座標を持ち、前記第１２の点は、０．３６、０．４８のｘ、ｙ座標を持つ、を持ち、
ここで：
前記第１グループの固体発光素子、および前記第１グループのルミファー、から出射される光の混合物は、任意の付加的な光のないところでは、１９３１年ＣＩＥ色度図上の、第１、第２、第３、および第４の線分により囲まれる領域内にある点を定義するｘ、ｙカラー座標、ここで、前記第１の線分は、第１の点を第２の点に接続し、前記第２の線分は、第２の点を第３の点に接続し、前記第３の線分は、第３の点を第４の点に接続し、前記第４の線分は、第４の点を第１の点に接続し、前記第１の点は、０．４１、０．４５５のｘ、ｙ座標を持ち、前記第２の点は、０．３６、０．４８のｘ、ｙ座標を持ち、前記第３の点は、０．４０８７、０．５８９６のｘ、ｙ座標を持ち、前記第４の点は、０．４７８８、０．５２０２のｘ、ｙ座標を持つ、を持ち、かつ、
前記第２グループの固体発光素子、および前記第２のグループのルミファー、から出射される光の混合物は、任意の付加的な光のないところでは、１９３１年ＣＩＥ色度図上の、第５、第６、第７、および第８の線分により囲まれる領域内にある点を定義するｘ、ｙカラー座標、ここで、前記第５の線分は、第５の点を第６の点に接続し、前記第６の線分は、第６の点を第７の点に接続し、前記第７の線分は、第７の点を第８の点に接続し、前記第８の線分は、第８の点を第５の点に接続し、前記第５の点は、０．３２、０．４０のｘ、ｙ座標を持ち、前記第６の点は、０．３６、０．３８のｘ、ｙ座標を持ち、前記第７の点は、０．３０、０．２６のｘ、ｙ座標を持ち、前記第８の点は、０．２５、０．２９のｘ、ｙ座標を持つ、を持つ。
【請求項１５】
請求項１０ないし１４のいずれかに記載の照明装置において：
前記第１グループの少なくとも１つの固体発光素子のおのおの、よりの前記光は、４３０ｎｍから４８０ｎｍまでの範囲内にピーク波長を持ち；かつ、
前記第１グループの少なくとも１つのルミファーのおのおの、よりの前記光は、約５５５ｎｍから約５８５ｎｍまでの範囲内に主要波長を持つ。